(57)【特許請求の範囲】
【請求項１】
自己の光電変換面上に照射された光に対応した画像信号を得る撮像素子と、
上記撮像素子の光電変換面側に配設された光学素子と、
上記光学素子の前面側に所定の間隔を持って対向配置される防塵部材と、
上記防塵部材の周縁部に配設され当該防塵部材に振動を与えるための加振用部材と、
上記光学素子と上記防塵部材との両者が対向して形成される空隙部と上記光学素子の周縁側で形成された空間部とを封止するように構成された封止構造部と、
を備えたことを特徴とするカメラ。
【請求項２】
自己の光電変換面上に照射された光に対応した画像信号を得る撮像素子と、
上記撮像素子の光電変換面の前面側に所定の間隔を持って対向配置された防塵部材と、
上記防塵部材の周縁部に配設され当該防塵部材に振動を与えるための加振用部材と、
上記撮像素子の光電変換面と上記防塵部材との両者が対向して形成される空隙部と上記光電変換面の周縁側で形成された空間部とを封止するように構成された封止構造部と、
を備えたことを特徴とするカメラ。
【請求項３】
上記光学素子は、光学的ローパスフイルターであることを特徴とする請求項１に記載のカメラ。
【請求項４】
上記光学素子は光学的ローパスフィルタであり、かつ上記封止構造部は、上記防塵部材をその周縁部位乃至その近傍部位に密着して支持する第１の部材と、上記光学素子をその周縁部位乃至その近傍部位に密着して支持すると共に自己の所定部位で上記第１の部材と密に接触するように配設された第２の部材とを含んで構成されたものであることを特徴とする請求項１に記載のカメラ。
【請求項５】
上記封止構造部は、上記防塵部材をその周縁部位乃至その近傍部位に密着して支持する第１の部分と、上記光学素子をその周縁部位乃至その近傍部位に密着して支持する第２の部分とを含んでなり、上記第１の部分及び上記第２の部分が一体に構成されたものであることを特徴とする請求項１に記載のカメラ。
【請求項６】
上記封止構造部は、上記防塵部材をその周縁部位乃至その近傍部位に密着して支持する第１の部材と、上記撮像素子をその光電変換面部の周縁部位乃至その近傍部位に密着して支持する第２の部材とを含んで構成されたものであることを特徴とする請求項２に記載のカメラ。
【請求項７】
上記封止構造部は、上記防塵部材をその周縁部位乃至その近傍部位に密着して支持する第１の部分と、上記撮像素子をその光電変換面部の周縁部位乃至その近傍部位に密着して支持する第２の部分とを含んでなり、上記第１の部分及び上記第２の部分が一体に構成されたものであることを特徴とする請求項２に記載のカメラ。
【請求項８】
上記封止構造部は、上記防塵部材と上記光学素子とが対向して作る空隙よりも広い空間が上記光学素子の外側に張り出すような封止空間として形成されるように構成されたものであることを特徴とする請求項１に記載のカメラ。
【請求項９】
上記封止構造部は、上記防塵部材と上記撮像素子の光電変換面とが対向して作る空隙よりも広い空間が上記光電変換面の外側に張り出すような封止空間として形成されるように構成されたものであることを特徴とする請求項２に記載のカメラ。
【請求項１０】
上記封止構造部は、所定部位に上記空間部の内外を連通させるための相対的に小さな通路が設けられてなるものであることを特徴とする請求項１又は請求項２に記載のカメラ。
【請求項１１】
上記封止構造部は、所定部位に上記空間部のうちの相対的に小さな空間部と相対的に大きな空間部との間の空気の流れに関する抵抗を低減させる流路が設けられてなるものであることを特徴とする請求項１に記載のカメラ。
【請求項１２】
上記第１の部材は、上記防塵部材の周縁部近傍の環状の領域で接着剤によって当該防塵部材と気密的に接合するように構成されたものであることを特徴とする請求項４又は請求項６に記載のカメラ。
【請求項１３】
上記第１の部材は、弾性体による附勢力によって上記防塵部材と気密的に接合するように構成されたものであることを特徴とする請求項４又は請求項６に記載のカメラ。
【請求項１４】
上記第１の部材及び上記第２の部材は、上記光学素子の外周側の環状の領域で相互に略気密的に嵌合するように構成されたものであることを特徴とする請求項４に記載のカメラ。
【請求項１５】
上記第１の部材及び上記第２の部材は、上記撮像素子の光電変換面の外周側の環状の領域で相互に略気密的に嵌合するように構成されたものであることを特徴とする請求項６に記載のカメラ。
【請求項１６】
上記第２の部材は、自己の所定の段部で上記光学素子の周縁部と略気密的に接触して当該光学素子をその光軸方向における位置を規制するように構成されたものであることを特徴とする請求項４又は請求項６に記載のカメラ。
【請求項１７】
上記第２の部材は、上記段部で上記光学素子をその光軸方向に変位させようとする弾性力に抗して上記光学素子の位置を規制するように構成されたものであることを特徴とする請求項１６に記載のカメラ。
【請求項１８】
上記封止構造部は、上記防塵部材をその周縁部位乃至その近傍部位に密着して支持する第１の部材と、上記光学素子をその周縁部位乃至その近傍部位に密着して支持すると共に自己の所定部位で上記第１の部材と密に接触するようにして配設された第２の部材とを含んで構成され、かつ上記第２の部材は、その所定部位に上記空間部の内外を連通させるための相対的に小さな通路が設けられてなるものであることを特徴とする請求項１に記載のカメラ。
【請求項１９】
上記封止構造部は、上記防塵部材をその周縁部位乃至その近傍部位に密着して支持する第１の部材と、上記光学素子をその周縁部位乃至その近傍部位に密着して支持すると共に自己の所定部位で上記第１の部材と密に接触するようにして配設された第２の部材とを含んで構成され、かつ上記第１の部材は、その所定部位に上記空間部の内外を連通させるための相対的に小さな通路が設けられてなるものであることを特徴とする請求項１に記載のカメラ。
【請求項２０】
上記通路は、上記第２の部材の上記光学素子の外周側に延出した領域に穿設された孔として形成されてなるものであることを特徴とする請求項１８に記載のカメラ。
【請求項２１】
上記封止構造部は、上記防塵部材をその周縁部位乃至その近傍部位に密着して支持する第１の部材と、上記光学素子をその周縁部位乃至その近傍部位に密着して支持すると共に自己の所定部位で上記第１の部材と密に接触するようにして配設された第２の部材とを含んで構成されたものであり、且つ、上記流路は、上記第２の部材の上記光学素子の周縁部と略々気密に接触すべく形成された接触面部の一部に切り欠きを設けることによって形成されてなるものであることを特徴とする請求項１１に記載のカメラ。
【請求項２２】
内圧に応じて自己の内容積が変化し得る封止補助部材を、上記通路が上記空間部の外側へ向けて連通する開放端側を気密的に覆うように附加したことを特徴とする請求項１０に記載のカメラ。
【請求項２３】
上記封止補助部材は、上記封止構造部の上記光学素子の周縁部乃至その近傍の環状の領域に弾性部材を上記通路を除いて気密的になるように配設することにより構成されたものであることを特徴とする請求項２２に記載のカメラ。
【請求項２４】
上記加振用部材は、電気機械変換素子からなり、当該電気機械変換素子に外部から所定の駆動電圧が印加されて所定の振動を上記防塵部材に発生させるように構成されたものであることを特徴とする請求項１又は請求項２に記載のカメラ。
【請求項２５】
上記電気機械変換素子は、圧電素子であることを特徴とする請求項２４に記載のカメラ。
【請求項２６】
上記圧電素子は、接着剤によって上記防塵部材に貼着されたものであることを特徴とする請求項２５に記載のカメラ。
【請求項２７】
上記封止構造部は、上記防塵部材をその周縁部位乃至その近傍部位に密着して支持する第１の部材と、上記撮像素子をその光電変換部の周縁部位乃至その近傍部位に密着して支持する第２の部材とを含んで構成され、かつ上記第２の部材は、その所定部位に上記空間部の内外を連通させるための相対的に小さな通路が設けられてなるものであることを特徴とする請求項２に記載のカメラ。
【請求項２８】
上記封止構造部は、上記防塵部材をその周縁部位乃至その近傍部位に密着して支持する第１の部材と、上記撮像素子をその光電変換面部の周縁部位乃至その近傍部位に密着して支持する第２の部材とを含んで構成され、かつ上記第１の部材はその所定部位に上記空間部の内外を連通させるための相対的に小さな通路が設けられてなるものであることを特徴とする請求項２に記載のカメラ。
【請求項２９】
上記通路は、上記第２の部材の上記撮像素子の光電変換面部外周側に延出した領域に穿設された孔として形成されてなるものであることを特徴とする請求項２７に記載のカメラ。
【請求項３０】
上記第１の部分は、上記防塵部材の周縁部近傍の環状の領域で接着剤によって当該防塵部材と気密的に接合するように構成されたものであることを特徴とする請求項５又は請求項７に記載のカメラ。
【請求項３１】
上記第１の部分は、弾性体による附勢力によって上記防塵部材と気密的に接合するように構成されたものであることを特徴とする請求項５又は請求項７に記載のカメラ。
【請求項３２】
上記第２の部分は、自己の所定の段部で上記光学素子の周縁部と略気密的に接触して当該光学素子をその光軸方向における位置を規制するように構成されたものであることを特徴とする請求項５又は請求項７に記載のカメラ。
【請求項３３】
上記第２の部分は、上記段部で上記光学素子をその光軸方向に変位させようとする弾性力に抗して上記光学素子の位置を規制するように構成されたものであることを特徴とする請求項３２に記載のカメラ。
【請求項３４】
上記封止構造部は、上記防塵部材をその周縁部位乃至その近傍部位に密着して支持する第１の部分と、上記光学素子をその周縁部位乃至その近傍部位に密着して支持すると共に自己の所定部位で上記第１の部分と一体に形成された第２の部分とを含んで構成され、かつ上記第２の部分は、その所定部位に上記空間部の内外を連通させるための相対的に小さな通路が設けられてなるものであることを特徴とする請求項１に記載のカメラ。
【請求項３５】
上記封止構造部は、上記防塵部材をその周縁部位乃至その近傍部位に密着して支持する第１の部分と、上記光学素子をその周縁部位乃至その近傍部位に密着して支持すると共に自己の所定部位で上記第１の部分と一体に形成された第２の部分とを含んで構成され、かつ上記第１の部分は、その所定部位に上記空間部の内外を連通させるための相対的に小さな通路が設けられてなるものであることを特徴とする請求項１に記載のカメラ。
【請求項３６】
上記通路は、上記第２の部分の上記光学素子の外周側に延出した領域に穿設された孔として形成されてなるものであることを特徴とする請求項３４に記載のカメラ。
【請求項３７】
上記封止構造部は、上記防塵部材をその周縁部位乃至その近傍部位に密着して支持する第１の部分と、上記光学素子をその周縁部位乃至その近傍部位に密着して支持する第２の部分とを含み、上記第１の部分及び上記第２の部分が一体に構成されたものであり、且つ上記流路は、上記第２の部分の上記光学素子の周縁部と略々気密に接触すべく形成された接触面部の一部に切り欠きを設けることによって形成されてなるものであることを特徴とする請求項１１に記載のカメラ。
【請求項３８】
上記封止構造部は、上記防塵部材をその周縁部位乃至その近傍部位に密着して支持する第１の部分と、上記撮像素子をその光電変換部の周縁部位乃至その近傍部位に密着して支持する第２の部分とを含んでなり、上記第１の部分及び上記第２の部分が一体に構成され、かつ上記第２の部分は、その所定部位に上記空間部の内外を連通させるための相対的に小さな通路が設けられてなるものであることを特徴とする請求項２に記載のカメラ。
【請求項３９】
上記封止構造部は、上記防塵部材をその周縁部位乃至その近傍部位に密着して支持する第１の部分と、上記撮像素子をその光電変換面部の周縁部位乃至その近傍部位に密着して支持する第２の部分とを含んでなり、上記第１の部分及び上記第２の部分が一体に構成され、かつ上記第１の部分はその所定部位に上記空間部の内外を連通させるための相対的に小さな通路が設けられてなるものであることを特徴とする請求項２に記載のカメラ。
【請求項４０】
上記通路は、上記第２の部分の上記撮像素子の光電変換面部の外周側に延出した領域に穿設された孔として形成されてなるものであることを特徴とする請求項３８に記載のカメラ。
【請求項４１】
上記封止構造部は、所定部位に上記空間部のうちの相対的に小さな空間部と相対的に大きな空間部との間の空気の流れに関する抵抗を低減させる流路が設けられてなるものであることを特徴とする請求項２に記載のカメラ。
【請求項４２】
上記封止構造部は、上記防塵部材をその周縁部位乃至その近傍部位に密着して支持する第１の部材と、上記撮像素子をその光電変換面部の周縁部位乃至その近傍部位に密着して支持すると共に自己の所定部位で上記第１の部材と密に接触するようにして配設された第２の部材とを含んで構成されたものであり、且つ、上記流路は、上記第２の部材の上記撮像素子の光電変換面部の周縁部と略気密に接触すべく形成された接触面部の一部に切り欠きを設けることによって形成されてなるものであることを特徴とする請求項４１に記載のカメラ。
【請求項４３】
上記封止構造部は、上記防塵部材をその周縁部位乃至その近傍部位に密着して支持する第１の部分と、上記撮像素子をその光電変換面部の周縁部位乃至その近傍部位に密着して支持する第２の部分とを含み、上記第１の部分及び上記第２の部分が一体に構成されたものであり、且つ上記流路は、上記第２の部分の上記撮像素子の光電変換面部の周縁部と略気密に接触すべく形成された接触面部の一部に切り欠きを設けることによって形成されてなるものであることを特徴とする請求項４１に記載のカメラ。
【請求項４４】
自己の光電変換面上に照射された光に対応した画像信号を得る撮像素子と、
上記撮像素子の光電変換面側に配設された光学素子と、
上記光学素子の前面側に所定の間隔を持って対向配設された防塵部材と、
上記防塵部材の周縁部に配設され該防塵部材に振動を与えるための加振用部材と、
上記光学素子と上記防塵部材との両者が対向して形成される空隙部と上記光学素子の周縁側で形成された空間部とを封止するように構成された封止構造部と、
を備えたことを特徴とするカメラ用アッセンブリ。
【請求項４５】
自己の光電変換面上に照射された光に対応した画像信号を得る撮像素子と、
上記撮像素子の光電変換面の前面側に所定の間隔を持って対向配設された防塵部材と、
上記防塵部材の周縁部に配設され該防塵部材に振動を与えるための加振用部材と、
上記撮像素子の光電変換面と上記防塵部材との両者が対向して形成される空隙部と上記光電変換面の周縁側で形成された空間部とを封止するように構成された封止構造部と、
を備えたことを特徴とするカメラ用アッセンブリ。
【発明の詳細な説明】
【０００１】
【発明の属する技術分野】
この発明は、一眼レフレックス方式のデジタルカメラ等のカメラに関し、より詳細には撮像素子の防塵構造を備えたカメラ及びこれに用いるカメラ用アッセンブリに関するものである。
【０００２】
【従来の技術】
近年、撮影光学系を透過した被写体からの光束（以下、被写体光束という）に基づいて形成される被写体像を所定の位置に配置した固体撮像素子等、例えば電荷結合素子（ＣＣＤ；Ｃharge Ｃoupled Ｄevice。以下、単に撮像素子という）等の光電変換面上に結像させ、当該撮像素子等の光電変換作用を利用して所望の被写体像を表わす電気的な画像信号等を生成し、この画像信号等に基づく信号を、例えば液晶表示装置（ＬＣＤ；Ｌiquid Ｃrystal Ｄisplay）等の所定の表示装置等へと出力して画像等を表示させたり、撮像素子等によって生成した画像信号等を所定の形態の画像データとして所定の記録媒体の所定の記録領域に記録し、さらにこの記録媒体に記録された画像データを読み出して、その画像データに対して表示装置を用いて表示するのに最適な画像信号となるように変換処理した後、処理済の画像信号に基づいて、これに対応する画像を表示させ得るように構成した、いわゆるデジタルスチルカメラやデジタルビデオカメラ等のデジタルカメラ等（以下、デジタルカメラ又は単にカメラという）が、一般的に実用化され広く普及している。
【０００３】
また、一般的なデジタルカメラにおいては、撮影動作に先立って撮影対象となる所望の被写体を観察し、当該被写体を含む撮影範囲を設定する等の目的で、光学的ファインダー装置を備えているのが一般である。
【０００４】
この光学ファインダー装置としては、撮影光学系の光軸上に配設した反射部材等を用いて撮影光学系を透過した被写体光束の進行方向を折り曲げて観察用の被写体像を所定の位置に結像させる一方、撮影動作時には、撮影光学系の光軸上から反射部材を退避させることにより、被写体光束を撮像素子の受光面、即ち光電変換面へと導き、当該光電変換面上に撮影用の被写体像を形成させるように構成したいわゆる一眼レフレックス方式のファインダー装置等が一般的に利用されている。
【０００５】
そして、近年においては、一眼レフレックス方式のファインダー装置を具備すると共に、カメラ本体に対して撮影光学系を着脱自在となるように構成し、使用者が所望するときに所望の撮影光学系を任意に着脱し交換することで、単一のカメラ本体において複数種類の撮影光学系を選択的に使用し得るように構成したいわゆるレンズ交換可能な形態のデジタルカメラが一般に実用化されつつある。
【０００６】
このようなレンズ交換可能な形態のデジタルカメラにおいては、当該撮影光学系をカメラ本体から取り外した際に、カメラ本体の内部に空気中に浮遊する塵埃等が侵入する可能性がある。また、カメラ本体内部には、例えばシャッター・絞り機構等、機械的に動作する各種の機構が配設されていることから、これら各種の機構等からは、その動作中にゴミ等が発生する場合もある。
【０００７】
一方、撮影光学系をカメラ本体から取り外した際には、当該撮影光学系の後方に配置される撮像素子の受光面（光電変換面とも言う）がカメラ内部の外気に露呈されることになることから、塵埃等が帯電作用等の要因によって撮像素子の光電変換面に付着することがある。
【０００８】
そこで、従来の一眼レフレックス方式のデジタルカメラ等においては、帯電作用等に起因して撮像素子の受光面上に塵埃等が付着するのを抑制するための技術が、例えば特開２０００−２９１３２号公報等によって提案されている。
【０００９】
上記特開２０００−２９１３２号公報に開示されている手段は、レンズ交換可能な形態の一眼レフレックス方式のデジタルカメラにおいて、カメラ内部に設けられる撮像素子の受光面を覆うカバー部材の表面に透明電極を設け、この電極に対して直流電圧若しくは数ｋＨｚ〜２０ｋＨｚ程度の周波数の交流電圧を印加することによって、帯電作用によって撮像素子の受光面上に塵埃等が付着するのを抑制するようにしたものである。
【００１０】
当該公報に開示されている手段によれば、撮像素子に生起する電荷を中和することによって静電気等に起因して撮像素子の受光面に塵埃等が付着するのを抑制することができるというものである。
【００１１】
他方、従来のデジタルカメラにおける撮像素子としては、いわゆるパッケイジに封じられた形態の撮像素子（例えばパッケイジＣＣＤという）が広く用いられているが、このような形態の撮像素子とは別に、近年においては、いわゆるベアチップＣＣＤと呼ばれる裸の状態のＣＣＤチップを市場に供給することが提案されている。
【００１２】
このようなベアチップＣＣＤにおいては、その光電変換面上に塵埃等が付着する可能性が多くなることから、ベアチップＣＣＤとこれを載置する基板との間に圧電素子を設け、この圧電素子に対して所定の電圧を印加することによって当該ベアチップＣＣＤ自体を振動させ、これにより光電変換面上に付着した塵埃等を振り落とすようにする手段についての提案が、例えば特開平９−１３０６５４号公報等によって開示されている。
【００１３】
【発明が解決しようとする課題】
ところが、上述の特開２０００−２９１３２号公報に開示されている手段では、帯電した撮像素子の電荷を中和させることで塵等が付着するのを抑制するようにしていることから、例えば静電気に因らずに撮像素子の光電変換面上に単に付着したり堆積した状態の塵埃等を除去する手段としては、最適なものではないと考えられる。
【００１４】
また、上述の特開平９−１３０６５４号公報に開示されている手段では、ベアチップＣＣＤを念頭に入れて考案されている手段であるために、従来のデジタルカメラにおいて一般的に利用されているパッケイジＣＣＤのような形態の撮像素子に対して適用するためには、最適な手段であるとは言えない。
【００１５】
つまり、一般的な形態のパッケイジＣＣＤ等に対して上述の特開平９−１３０６５４号公報に開示されている手段を適用した場合には、例えば撮像素子自体又はそのパッケイジに対して振動を加えることになるので、この加振作用によって撮像素子及びその近傍に配設される各種の機構に対して、例えば機構的な劣化や狂い等の悪影響が波及する虞がある。
【００１６】
一方、本出願人は、先に特願２０００−４０１２９１号において、撮像素子の光電変換面の側を封止乃至保護する防塵部材を備えることで、当該撮像素子の光電変換面に塵埃等が付着するのを抑制すると共に、防塵部材の外面側に付着する塵埃等に対しては、所定の加振手段によって防塵部材に所定の振幅の振動を与えることによって、これを除去する手段を提案している。
【００１７】
この手段によれば、小型でかつ簡単な機構によって撮像素子の光電変換面に塵埃等が付着するのを抑制すると共に、防塵部材の外面側に付着する塵埃等を容易に除去し得るレンズ交換可能な形態のデジタルカメラを構成することができるというものである。
【００１８】
この場合において、撮像素子の光電変換面の側を封止乃至保護する防塵部材自体の外面側に付着した塵埃等を、当該光電変換面の有効領域、即ち画像を形成するのに用いられる光電変換面上の所定の領域に対応する範囲外へと加振手段等の振動によって一掃させるためには、相応の充分な振幅の振動を生じさせることが必要となる。
【００１９】
しかしながら、発明者等が行なった種々の実験の結果によれば、このような形態のデジタルカメラにおいて、撮像素子の光電変換面の側を防塵部材等によって気密的に封止するように構成すると、当該防塵部材の外面側の表面に付着した塵埃等を除去するために充分な振幅の振動を生じさせるのに支障があることを認識するに到った。
【００２０】
このような技術的課題、即ち撮像素子を防塵部材を用いて気密的に封止すると共に、当該防塵部材を加振手段によって振動させるように構成した場合において、充分な振幅の振動を生じさせるための要件についての課題は、従来においてはさほど認識されていないことであった。
【００２１】
したがって、このような技術的課題を解決するための具体的な技術についての提案も、従来においてなされることがなかった。
【００２２】
本発明は、上述した点に鑑みてなされたものであって、その目的とするところは、撮影光学系を着脱自在となるよう構成したデジタルカメラにおいて、撮像素子の光電変換面上に塵埃等が付着するのを十全に予防すると共に、撮像素子を封止乃至保護する防塵部材の外面側の表面上に付着した塵埃等を確実に除去し得るように構成したカメラ及びこれに用いるカメラ用アッセンブリを提供することである。
【００２３】
【課題を解決するための手段】
上記目的を達成するために、第１の発明によるカメラは、自己の光電変換面上に照射された光に対応した画像信号を得る撮像素子と、上記撮像素子の光電変換面側に配設された光学素子と、上記光学素子の前面側に所定の間隔を持って対向配置される防塵部材と、上記防塵部材の周縁部に配設され当該防塵部材に振動を与えるための加振用部材と、上記光学素子と上記防塵部材との両者が対向して形成される空隙部と上記光学素子の周縁側で形成された空間部とを封止するように構成された封止構造部と、を備えたことを特徴とする。
【００２５】
第２の発明によるカメラは、自己の光電変換面上に照射された光に対応した画像信号を得る撮像素子と、上記撮像素子の光電変換面の前面側に所定の間隔を持って対向配置された防塵部材と、上記防塵部材の周縁部に配設され当該防塵部材に振動を与えるための加振用部材と、上記撮像素子の光電変換面と上記防塵部材との両者が対向して形成される空隙部と上記光電変換面の周縁側で形成された空間部とを封止するように構成された封止構造部と、を備えたことを特徴とする。
【００２６】
第３の発明は、上記第１の発明によるカメラにおいて、上記光学素子は、光学的ローパスフイルターであることを特徴とする。
【００２７】
第４の発明は、上記第１の発明によるカメラにおいて、上記光学素子は光学的ローパスフィルタであり、かつ上記封止構造部は、上記防塵部材をその周縁部位乃至その近傍部位に密着して支持する第１の部材と、上記光学素子をその周縁部位乃至その近傍部位に密着して支持すると共に自己の所定部位で上記第１の部材と密に接触するように配設された第２の部材とを含んで構成されたものであることを特徴とする。
【００２８】
第５の発明は、上記第１の発明によるカメラにおいて、上記封止構造部は、上記防塵部材をその周縁部位乃至その近傍部位に密着して支持する第１の部分と、上記光学素子をその周縁部位乃至その近傍部位に密着して支持する第２の部分とを含んでなり、上記第１の部分及び上記第２の部分が一体に構成されたものであることを特徴とする。
【００２９】
第６の発明は、上記第２の発明によるカメラにおいて、上記封止構造部は、上記防塵部材をその周縁部位乃至その近傍部位に密着して支持する第１の部材と、上記撮像素子をその光電変換面部の周縁部位乃至その近傍部位に密着して支持する第２の部材とを含んで構成されたものであることを特徴とする。
【００３０】
第７の発明は、上記第２の発明によるカメラにおいて、上記封止構造部は、上記防塵部材をその周縁部位乃至その近傍部位に密着して支持する第１の部分と、上記撮像素子をその光電変換面部の周縁部位乃至その近傍部位に密着して支持する第２の部分とを含んでなり、上記第１の部分及び上記第２の部分が一体に構成されたものであることを特徴とする。
【００３１】
第８の発明は、上記第１の発明によるカメラにおいて、上記封止構造部は、上記防塵部材と上記光学素子とが対向して作る空隙よりも広い空間が上記光学素子の外側に張り出すような封止空間として形成されるように構成されたものであることを特徴とする。
【００３２】
第９の発明は、上記第２の発明によるカメラにおいて、上記封止構造部は、上記防塵部材と上記撮像素子の光電変換面とが対向して作る空隙よりも広い空間が上記光電変換面の外側に張り出すような封止空間として形成されるように構成されたものであることを特徴とする。
【００３３】
第１０の発明は、上記第１の発明又は上記第２の発明によるカメラにおいて、上記封止構造部は、所定部位に上記空間部の内外を連通させるための相対的に小さな通路が設けられてなるものであることを特徴とする。
【００３４】
第１１の発明は、上記第１の発明によるカメラにおいて、上記封止構造部は、所定部位に上記空間部のうちの相対的に小さな空間部と相対的に大きな空間部との間の空気の流れに関する抵抗を低減させる流路が設けられてなるものであることを特徴とする。
【００３５】
第１２の発明は、上記第４の発明又は上記第６の発明のいずれかによるカメラにおいて、上記第１の部材は、上記防塵部材の周縁部近傍の環状の領域で接着剤によって当該防塵部材と気密的に接合するように構成されたものであることを特徴とする。
【００３６】
第１３の発明は、上記第４の発明又は上記第６の発明のいずれかによるカメラにおいて、上記第１の部材は、弾性体による附勢力によって上記防塵部材と気密的に接合するように構成されたものであることを特徴とする。
【００３７】
第１４の発明は、上記第４の発明によるカメラにおいて、上記第１の部材及び上記第２の部材は、上記光学素子の外周側の環状の領域で相互に略気密的に嵌合するように構成されたものであることを特徴とする。
【００３８】
第１５の発明は、上記第６の発明によるカメラにおいて、上記第１の部材及び上記第２の部材は、上記撮像素子の光電変換面の外周側の環状の領域で相互に略気密的に嵌合するように構成されたものであることを特徴とする。
【００３９】
第１６の発明は、上記第４の発明又は上記第６の発明のいずれかによるカメラにおいて、上記第２の部材は、自己の所定の段部で上記光学素子の周縁部と略気密的に接触して当該光学素子をその光軸方向における位置を規制するように構成されたものであることを特徴とする。
【００４０】
第１７の発明は、上記第１６の発明によるカメラにおいて、上記第２の部材は、上記段部で上記光学素子をその光軸方向に変位させようとする弾性力に抗して上記光学素子の位置を規制するように構成されたものであることを特徴とする。
【００４１】
第１８の発明は、上記第１の発明によるカメラにおいて、上記封止構造部は、上記防塵部材をその周縁部位乃至その近傍部位に密着して支持する第１の部材と、上記光学素子をその周縁部位乃至その近傍部位に密着して支持すると共に自己の所定部位で上記第１の部材と密に接触するようにして配設された第２の部材とを含んで構成され、かつ上記第２の部材は、その所定部位に上記空間部の内外を連通させるための相対的に小さな通路が設けられてなるものであることを特徴とする。
【００４２】
第１９の発明は、上記第１の発明によるカメラにおいて、上記封止構造部は、上記防塵部材をその周縁部位乃至その近傍部位に密着して支持する第１の部材と、上記光学素子をその周縁部位乃至その近傍部位に密着して支持すると共に自己の所定部位で上記第１の部材と密に接触するようにして配設された第２の部材とを含んで構成され、かつ上記第１の部材は、その所定部位に上記空間部の内外を連通させるための相対的に小さな通路が設けられてなるものであることを特徴とする。
【００４３】
第２０の発明は、上記第１８の発明によるカメラにおいて、上記通路は、上記第２の部材の上記光学素子の外周側に延出した領域に穿設された孔として形成されてなるものであることを特徴とする。
【００４４】
第２１の発明は、上記第１１の発明によるカメラにおいて、上記封止構造部は、上記防塵部材をその周縁部位乃至その近傍部位に密着して支持する第１の部材と、上記光学素子をその周縁部位乃至その近傍部位に密着して支持すると共に自己の所定部位で上記第１の部材と密に接触するようにして配設された第２の部材とを含んで構成されたものであり、且つ、上記流路は、上記第２の部材の上記光学素子の周縁部と略々気密に接触すべく形成された接触面部の一部に切り欠きを設けることによって形成されてなるものであることを特徴とする。
【００４５】
第２２の発明は、上記第１０の発明によるカメラにおいて、内圧に応じて自己の内容積が変化し得る封止補助部材を、上記通路が上記空間部の外側へ向けて連通する開放端側を気密的に覆うように附加したことを特徴とする。
【００４６】
第２３の発明は、上記第２２の発明によるカメラにおいて、上記封止補助部材は、上記封止構造部の上記光学素子の周縁部乃至その近傍の環状の領域に弾性部材を上記通路を除いて気密的になるように配設することにより構成されたものであることを特徴とする。
【００４７】
第２４の発明は、上記第１の発明又は上記第２の発明によるカメラにおいて、上記加振用部材は、電気機械変換素子からなり、当該電気機械変換素子に外部から所定の駆動電圧が印加されて所定の振動を上記防塵部材に発生させるように構成されたものであることを特徴とする。
【００４８】
第２５の発明は、上記第２４の発明によるカメラにおいて、上記電気機械変換素子は、圧電素子であることを特徴とする。
【００４９】
第２６の発明は、上記第２５の発明によるカメラにおいて、上記圧電素子は、接着剤によって上記防塵部材に貼着されたものであることを特徴とする。
【００５０】
第２７の発明は、上記第２の発明によるカメラにおいて、上記封止構造部は、上記防塵部材をその周縁部位乃至その近傍部位に密着して支持する第１の部材と、上記撮像素子をその光電変換部の周縁部位乃至その近傍部位に密着して支持する第２の部材とを含んで構成され、かつ上記第２の部材は、その所定部位に上記空間部の内外を連通させるための相対的に小さな通路が設けられてなるものであることを特徴とする。
【００５１】
第２８の発明は、上記第２の発明によるカメラにおいて、上記封止構造部は、上記防塵部材をその周縁部位乃至その近傍部位に密着して支持する第１の部材と、上記撮像素子をその光電変換面部の周縁部位乃至その近傍部位に密着して支持する第２の部材とを含んで構成され、かつ上記第１の部材はその所定部位に上記空間部の内外を連通させるための相対的に小さな通路が設けられてなるものであることを特徴とする。
【００５２】
第２９の発明は、上記第２７の発明によるカメラにおいて、上記通路は、上記第２の部材の上記撮像素子の光電変換面部外周側に延出した領域に穿設された孔として形成されてなるものであることを特徴とする。
【００５３】
第３０の発明は、上記第５の発明又は上記第７の発明のいずれかによるカメラにおいて、上記第１の部分は、上記防塵部材の周縁部近傍の環状の領域で接着剤によって当該防塵部材と気密的に接合するように構成されたものであることを特徴とする。
【００５４】
第３１の発明は、上記第５の発明又は上記第７の発明のいずれかによるカメラにおいて、上記第１の部分は、弾性体による附勢力によって上記防塵部材と気密的に接合するように構成されたものであることを特徴とする。
【００５５】
第３２の発明は、上記第５の発明又は上記第７の発明のいずれかによるカメラにおいて、上記第２の部分は、自己の所定の段部で上記光学素子の周縁部と略気密的に接触して当該光学素子をその光軸方向における位置を規制するように構成されたものであることを特徴とする。
【００５６】
第３３の発明は、上記第３２の発明によるカメラにおいて、上記第２の部分は、上記段部で上記光学素子をその光軸方向に変位させようとする弾性力に抗して上記光学素子の位置を規制するように構成されたものであることを特徴とする。
【００５７】
第３４の発明は、上記第１の発明によるカメラにおいて、上記封止構造部は、上記防塵部材をその周縁部位乃至その近傍部位に密着して支持する第１の部分と、上記光学素子をその周縁部位乃至その近傍部位に密着して支持すると共に自己の所定部位で上記第１の部分と一体に形成された第２の部分とを含んで構成され、かつ上記第２の部分は、その所定部位に上記空間部の内外を連通させるための相対的に小さな通路が設けられてなるものであることを特徴とする。
【００５８】
第３５の発明は、上記第１の発明によるカメラにおいて、上記封止構造部は、上記防塵部材をその周縁部位乃至その近傍部位に密着して支持する第１の部分と、上記光学素子をその周縁部位乃至その近傍部位に密着して支持すると共に自己の所定部位で上記第１の部分と一体に形成された第２の部分とを含んで構成され、かつ上記第１の部分は、その所定部位に上記空間部の内外を連通させるための相対的に小さな通路が設けられてなるものであることを特徴とする。
【００５９】
第３６の発明は、上記第３４の発明によるカメラにおいて、上記通路は、上記第２の部分の上記光学素子の外周側に延出した領域に穿設された孔として形成されてなるものであることを特徴とする。
【００６０】
第３７の発明は、上記第１１の発明によるカメラにおいて、上記封止構造部は、上記防塵部材をその周縁部位乃至その近傍部位に密着して支持する第１の部分と、上記光学素子をその周縁部位乃至その近傍部位に密着して支持する第２の部分とを含み、上記第１の部分及び上記第２の部分が一体に構成されたものであり、且つ上記流路は、上記第２の部分の上記光学素子の周縁部と略々気密に接触すべく形成された接触面部の一部に切り欠きを設けることによって形成されてなるものであることを特徴とする。
【００６１】
第３８の発明は、上記第２の発明によるカメラにおいて、上記封止構造部は、上記防塵部材をその周縁部位乃至その近傍部位に密着して支持する第１の部分と、上記撮像素子をその光電変換部の周縁部位乃至その近傍部位に密着して支持する第２の部分とを含んでなり、上記第１の部分及び上記第２の部分が一体に構成され、かつ上記第２の部分は、その所定部位に上記空間部の内外を連通させるための相対的に小さな通路が設けられてなるものであることを特徴とする。
【００６２】
第３９の発明は、上記第２の発明によるカメラにおいて、上記封止構造部は、上記防塵部材をその周縁部位乃至その近傍部位に密着して支持する第１の部分と、上記撮像素子をその光電変換面部の周縁部位乃至その近傍部位に密着して支持する第２の部分とを含んでなり、上記第１の部分及び上記第２の部分が一体に構成され、かつ上記第１の部分はその所定部位に上記空間部の内外を連通させるための相対的に小さな通路が設けられてなるものであることを特徴とする。
【００６３】
第４０の発明は、上記第３８の発明によるカメラにおいて、上記通路は、上記第２の部分の上記撮像素子の光電変換面部の外周側に延出した領域に穿設された孔として形成されてなるものであることを特徴とする。
【００６４】
第４１の発明は、上記第２の発明によるカメラにおいて、上記封止構造部は、所定部位に上記空間部のうちの相対的に小さな空間部と相対的に大きな空間部との間の空気の流れに関する抵抗を低減させる流路が設けられてなるものであることを特徴とする。
【００６５】
第４２の発明は、上記第４１の発明によるカメラにおいて、上記封止構造部は、上記防塵部材をその周縁部位乃至その近傍部位に密着して支持する第１の部材と、上記撮像素子をその光電変換面部の周縁部位乃至その近傍部位に密着して支持すると共に自己の所定部位で上記第１の部材と密に接触するようにして配設された第２の部材とを含んで構成されたものであり、且つ、上記流路は、上記第２の部材の上記撮像素子の光電変換面部の周縁部と略気密に接触すべく形成された接触面部の一部に切り欠きを設けることによって形成されてなるものであることを特徴とする。
【００６６】
第４３の発明は、上記第４１の発明によるカメラにおいて、上記封止構造部は、上記防塵部材をその周縁部位乃至その近傍部位に密着して支持する第１の部分と、上記撮像素子をその光電変換面部の周縁部位乃至その近傍部位に密着して支持する第２の部分とを含み、上記第１の部分及び上記第２の部分が一体に構成されたものであり、且つ上記流路は、上記第２の部分の上記撮像素子の光電変換面部の周縁部と略気密に接触すべく形成された接触面部の一部に切り欠きを設けることによって形成されてなるものであることを特徴とする。
【００６７】
第４４の発明によるカメラ用アッセンブリは、自己の光電変換面上に照射された光に対応した画像信号を得る撮像素子と、上記撮像素子の光電変換面側に配設された光学素子と、上記光学素子の前面側に所定の間隔を持って対向配設された防塵部材と、上記防塵部材の周縁部に配設され該防塵部材に振動を与えるための加振用部材と、上記光学素子と上記防塵部材との両者が対向して形成される空隙部と上記光学素子の周縁側で形成された空間部とを封止するように構成された封止構造部と、を備えたことを特徴とする。
【００６８】
第４５の発明によるカメラ用アッセンブリは、自己の光電変換面上に照射された光に対応した画像信号を得る撮像素子と、上記撮像素子の光電変換面の前面側に所定の間隔を持って対向配設された防塵部材と、上記防塵部材の周縁部に配設され該防塵部材に振動を与えるための加振用部材と、上記撮像素子の光電変換面と上記防塵部材との両者が対向して形成される空隙部と上記光電変換面の周縁側で形成された空間部とを封止するように構成された封止構造部と、を備えたことを特徴とする。
【００６９】
【発明の実施の形態】
以下、図示の実施の形態によって本発明を説明する。
まず、本発明の第１の実施形態のカメラについて、その概略的な構成を以下に説明する。
【００７０】
図１・図２は、本発明の第１の実施形態のカメラの概略的な構成を示す図であって、図１は、本カメラの一部を切断して、その内部構成を概略的に示す斜視図であり、図２は、本カメラの主に電気的な構成を概略的に示すブロック構成図である。
【００７１】
本実施形態のカメラ１は、それぞれが別体に構成されるカメラ本体部１１及びレンズ鏡筒１２とからなり、両者（１１・１２）は、互いに着脱自在に構成されてなるものである。
【００７２】
レンズ鏡筒１２は、複数のレンズやその駆動機構等からなる撮影光学系１２ａを内部に保持して構成されている。この撮影光学系１２ａは、被写体からの光束を透過させることで当該被写光束により形成される被写体の像を所定の位置（後述する撮像素子２７の光電変換面上）に結像せしめるように例えば複数の光学レンズ等によって構成されるものである。そして、このレンズ鏡筒１２は、カメラ本体部１１の前面に向けて突出するように配設されている。
【００７３】
なお、このレンズ鏡筒１２については、従来のカメラ等において一般的に利用されているものと同様のものが適用される。したがって、その詳細な構成についての説明は省略する。
【００７４】
カメラ本体部１１は、内部に各種の構成部材等を備えて構成され、かつ撮影光学系１２ａを保持するレンズ鏡筒１２を着脱自在となるように配設するための連結部材である撮影光学系装着部１１ａをその前面に備えて構成されてなるいわゆる一眼レフレックス方式のカメラである。
【００７５】
つまり、カメラ本体部１１の前面側の略中央部には、被写体光束を当該カメラ本体部１１の内部へと導き得る所定の口径を有する露光用開口が形成されており、この露光用開口の周縁部に撮影光学系装着部１１ａが形成されている。
【００７６】
カメラ本体部１１の外面側には、その前面に上述の撮影光学系装着部１１ａが配設されているほか、上面部や背面部等の所定の位置にカメラ本体部１１を動作させるための各種の操作部材、例えば撮影動作を開始せしめるための指示信号等を発生させるためのレリーズボタン１７等等が配設されている。これらの操作部材については、本発明とは直接関連しない部分であるので、図面の煩雑化を避けるために、レリーズボタン１７以外の操作部材については、その図示及び説明を省略する。
【００７７】
カメラ本体部１１の内部には、図１に示すように、各種の構成部材、例えば、撮影光学系１２ａによって形成される所望の被写体像を撮像素子２７（図２参照）の光電変換面上とは異なる所定の位置に形成させるべく設けられ、いわゆる観察光学系を構成するファインダー装置１３と、撮像素子２７の光電変換面への被写体光束の照射時間等を制御するシャッタ機構等を備えたシャッター部１４と、このシャッター部１４を含み撮影光学系１２ａを透過した被写体光束に基づいて形成される被写体像に対応した画像信号を得る撮像素子２７及びこの撮像素子２７の光電変換面の前面側の所定の位置に配設され当該光電変換面への塵埃等の付着を予防する防塵部材である防塵フイルター２１（詳細については後述する）等からなるアッセンブリである撮像ユニット１５と、撮像素子２７により取得した画像信号に対して各種の信号処理を施す画像信号処理回路１６ａ（図２参照）等の電気回路を構成する各種の電気部材が実装される主回路基板１６を始めとした複数の回路基板（図１では主回路基板１６のみを図示している）と、等が、それぞれ所定の位置に配設されている。
【００７８】
ファインダー装置１３は、撮影光学系１２ａを透過した被写体光束の光軸を折り曲げて観察光学系の側へと導き得るように構成される反射鏡１３ｂと、この反射鏡１３ｂから出射する光束を受けて正立正像を形成するペンタプリズム１３ａと、このペンタプリズム１３ａにより形成される像を拡大して観察するのに最適な形態の像を結像させる接眼レンズ１３ｃ等によって構成されている。
【００７９】
反射鏡１３ｂは、撮影光学系１２ａの光軸から退避する位置と当該光軸上の所定の位置との間で移動自在に構成され、通常状態においては、撮影光学系１２ａの光軸上において当該光軸に対して所定の角度、例えば角度４５度を有して配置されている。これにより、撮影光学系１２ａを透過した被写体光束は、当該カメラ１が通常状態にあるときには、反射鏡１３ｂによってその光軸が折り曲げられて、当該反射鏡１３ｂの上方に配置されるペンタプリズム１３ａの側へと反射されるようになっている。
【００８０】
一方、本カメラ１が撮影動作の実行中において、その実際の露光動作中には、当該反射鏡１３ｂは、撮影光学系１２ａの光軸から退避する所定の位置に移動するようになっている。これによって、被写体光束は、撮像素子２７の側へと導かれ、その光電変換面を照射するようになっている。
【００８１】
シャッター部１４は、例えばフォーカルプレーン方式のシャッター機構や、このシャッター機構の動作を制御する駆動回路等、従来のカメラ等において一般的に利用されているものと同様のものが適用される。したがって、その詳細な構成についての説明は省略する。
【００８２】
また、本カメラ１の内部には、上述したように複数の回路基板が配設され、各種の電気回路を構成している。本カメラ１の電気的な構成は、図２に示すように、例えば本カメラ１の全体を統括的に制御する制御回路であるＣＰＵ４１と、撮像素子２７によって取得した画像信号に基づいて記録に適合する形態の信号に変換する信号処理等、各種の信号処理を施す画像信号処理回路１６ａと、この画像信号処理回路１６ａによって処理済みの画像信号や画像データ及びこれに付随する各種の情報等を一時的に記録するワークメモリ１６ｂと、この画像信号処理回路１６ａによって生成された所定の形態の記録用の画像データを所定の領域に記録する記録媒体４３と、この記録媒体４３と本カメラ１の電気回路とを電気的に接続すべく構成される記録媒体インターフェイス４２と、画像を表示するための液晶表示装置（ＬＣＤ）等からなる表示部４６と、この表示部４６と本カメラ１との間を電気的に接続し、画像信号処理回路１６ａによって処理済の画像信号を受けて表示部４６を用いて表示するのに最適な表示用の画像信号を生成する表示回路４７と、乾電池等の二次電池等からなる電池４５と、この電池４５又は所定の接続ケイブル等（図示せず）により供給される外部電源（ＡＣ）からの電力を受けて、本カメラ１を動作させるのに適するように制御し、各電気回路へと配電する電源回路４４と、撮像ユニット１５に含まれる防塵フイルター２１を駆動させるための電気回路であって発振器等からなる防塵フイルター駆動部４８等からなる。
【００８３】
次に、本実施形態のカメラ１における撮像ユニット１５の詳細について、以下に説明する。
図３・図４・図５は、本実施形態のカメラ１における撮像ユニットの一部を取り出して示す図であって、図３は、当該撮像ユニットを分解して示す要部分解斜視図である。図４は、組み立てた状態の当該撮像ユニットの一部を切断して示す斜視図である。図５は、図４の切断面に沿う断面図である。
【００８４】
なお、本実施形態のカメラ１の撮像ユニット１５は、上述したようにシャッター部１４を含む複数の部材によって構成されるユニットであるが、図３から図５においては、その主要部を図示するに留め、シャッター部１４の図示は省略している。また、各構成部材の位置関係を示すために、図３〜図５においては、当該撮像ユニット１５の近傍に設けられ、撮像素子２７が実装されると共に、画像信号処理回路１６ａ及びワークメモリ１６ｂ等からなる撮像系の電気回路が実装される主回路基板１６を合わせて図示している。なお、この主回路基板１６、それ自体の詳細については、従来のカメラ等において一般的に利用されているものが適用されるものとして、その説明は省略する。
【００８５】
撮像ユニット１５は、ＣＣＤ等からなり撮影光学系１２ａを透過し自己の光電変換面上に照射された光に対応した画像信号を得る撮像素子２７と、この撮像素子２７を固定支持する薄板状の部材からなる撮像素子固定板２８と、撮像素子２７の光電変換面の側に配設され、撮影光学系１２ａを透過して照射される被写体光束から高周波成分を取り除くべく形成される光学素子である光学的ローパスフイルター（Ｌow Pass Filter；以下、光学ＬＰＦという）２５と、この光学ＬＰＦ２５と撮像素子２７との間の周縁部に配置され、略枠形状の弾性部材等によって形成されるローパスフイルター受け部材２６と、撮像素子２７を収納し固定保持すると共に光学ＬＰＦ２５（光学素子）をその周縁部位乃至その近傍部位に密着して支持しかつ所定の部位を後述する防塵フイルター受け部材２３（後述する第１の部材）に密に接触するように配設される撮像素子収納ケース部材２４（後述する第２の部材；以下、ＣＣＤケース２４という）と、このＣＣＤケース２４の前面側に配置され防塵フイルター２１（防塵部材）をその周縁部位乃至その近傍部位に密着して支持する防塵フイルター受け部材２３（第１の部材）と、この防塵フイルター受け部材２３によって支持されて撮像素子２７の光電変換面の側であって光学ＬＰＦ２５の前面側において当該光学ＬＰＦ２５との間に所定の間隔を持つ所定の位置に対向配置される防塵部材である防塵フイルター２１と、この防塵フイルター２１の周縁部に配設され当該防塵フイルター２１に対して所定の振動を与えるための加振用部材であり例えば電気機械変換素子等からなる圧電素子２２と、防塵フイルター２１を防塵フイルター受け部材２３に対して気密的に接合させ固定保持する弾性体からなる押圧部材２０等によって構成されている。
【００８６】
撮像素子２７は、撮影光学系１２ａを透過した被写体光束を自己の光電変換面に受けて光電変換処理を行なうことによって、当該光電変換面に形成される被写体像に対応した画像信号を取得するものであって、例えば電荷結合素子（ＣＣＤ；Ｃharge Ｃoupled Ｄevice）が適用されている。
【００８７】
この撮像素子２７は、撮像素子固定板２８を介して主回路基板１６上の所定の位置に実装されている。この主回路基板１６には、上述したように画像信号処理回路１６ａ及びワークメモリ１６ｂ等が共に実装されており、撮像素子２７からの出力信号、即ち光電変換処理により得られた画像信号が画像信号処理回路１６ａ等へと電送されるようになっている。
【００８８】
この画像信号処理回路１６ａにおいてなされる信号処理としては、例えば撮影光学系装着部１１ａに装着されたレンズ鏡筒１２の内部に保持される撮影光学系１２ａによって撮像素子２７の光電変換面上に結像された像に対応するものとして当該撮像素子２７から得られた画像信号を記録に適合する形態の信号に変換する処理等、各種の信号処理である。このような信号処理は、電子的な画像信号を取り扱うように構成される一般的なデジタルカメラ等において通常になされる処理と同様である。したがって、当該カメラ１において実行される各種の信号処理についての詳細な説明は省略する。
【００８９】
撮像素子２７の前面側には、ローパスフイルター受け部材２６を挟んで光学ＬＰＦ２５が配設されている。そして、これを覆うようにＣＣＤケース２４が配設されている。
【００９０】
つまり、ＣＣＤケース２４には、略中央部分に矩形状からなる開口２４ｃが設けられており、この開口２４ｃには、その後方側から光学ＬＰＦ２５及び撮像素子２７が配設されるようになっている。この開口２４ｃの後方側の内周縁部には、図４・図５に示すように断面が略Ｌ字形状からなる段部２４ａが形成されている。
【００９１】
上述したように、光学ＬＰＦ２５と撮像素子２７との間には、弾性部材等からなるローパスフイルター受け部材２６が配設されている。このローパスフイルター受け部材２６は、撮像素子２７の前面側の周縁部においてその光電変換面の有効範囲を避ける位置に配設され、かつ光学ＬＰＦ２５の背面側の周縁部近傍に当接するようになっている。そして、光学ＬＰＦ２５と撮像素子２７との間を略気密性が保持されるようにしている。これにより、光学ＬＰＦ２５には、ローパスフイルター受け部材２６による光軸方向への弾性力が働くことになる。
【００９２】
そこで、光学ＬＰＦ２５の前面側の周縁部を、ＣＣＤケース２４の段部２４ａに対して略気密的に接触させるように配置することで、当該光学ＬＰＦ２５をその光軸方向に変位させようとするローパスフイルター受け部材２６による弾性力に抗して当該光学ＬＰＦ２５の光軸方向における位置を規制するようにしている。
【００９３】
換言すれば、ＣＣＤケース２４の開口２４ｃの内部に背面側より挿入された光学ＬＰＦ２５は、段部２４ａによって光軸方向における位置規制がなされている。これにより、当該光学ＬＰＦ２５は、ＣＣＤケース２４の内部から前面側へ向けて外部に抜け出ないようになっている。
【００９４】
このようにして、ＣＣＤケース２４の開口２４ｃの内部に背面側から光学ＬＰＦ２５が挿入された後、光学ＬＰＦ２５の背面側には、撮像素子２７が配設されるようになっている。この場合において、光学ＬＰＦ２５と撮像素子２７との間には、周縁部においてローパスフイルター受け部材２６が挟持されるようになっている。
【００９５】
また、撮像素子２７は、上述したように撮像素子固定板２８を挟んで主回路基板１６に実装されている。そして、撮像素子固定板２８は、ＣＣＤケース２４の背面側からネジ孔２４ｅに対してネジ２８ｂによってスペーサ２８ａを介して固定されている。また、撮像素子固定板２８には、主回路基板１６がスペーサ１６ｃを介してネジ１６ｄによって固定されている。
【００９６】
ＣＣＤケース２４の前面側には、防塵フイルター受け部材２３がＣＣＤケース２４のネジ孔２４ｂに対してネジ２３ｂによって固定されている。この場合において、ＣＣＤケース２４の周縁側であって前面側の所定の位置には、図４・図５において詳細に示すように、周溝２４ｄが略環状に形成されている。その一方で、防塵フイルター受け部材２３の周縁側であって背面側の所定の位置には、ＣＣＤケース２４の周溝２４ｄに対応させた環状凸部２３ｄ（図３には図示出来ず）が全周にわたって略環状に形成されている。したがって、環状凸部２３ｄと周溝２４ｄとが嵌合することによりＣＣＤケース２４と防塵フイルター受け部材２３とは、環状の領域、即ち周溝２４ｄと環状凸部２３ｄとが形成される領域において相互に略気密的に嵌合するようになっている。
【００９７】
防塵フイルター２１は、全体として円形乃至多角形の板状をなし、少なくとも自己の中心から放射方向に所定の広がりを持つ領域が透明部をなしており、この透明部が光学ＬＰＦ２５の前面側に所定の間隔を持って対向配置されているものである。
【００９８】
また、防塵フイルター２１の一方の面（本実施形態では背面側）の周縁部には、当該防塵フイルター２１に対して振動を与えるための所定の加振用部材であり電気機械変換素子等によって形成される圧電素子２２が一体となるように、例えば接着剤による貼着等の手段により配設されている。この圧電素子２２は、外部から所定の駆動電圧を印加することによって防塵フイルター２１に所定の振動を発生させることができるように構成されている。
【００９９】
そして、防塵フイルター２１は、防塵フイルター受け部材２３に対して気密的に接合するように板ばね等の弾性体からなる押圧部材２０によって固定保持されている。
【０１００】
防塵フイルター受け部材２３の略中央部近傍には、円形状又は多角形状からなる開口２３ｆが設けられている。この開口２３ｆは、撮影光学系１２ａを透過した被写体光束を通過させて、当該光束が後方に配置される撮像素子２７の光電変換面を照射するのに充分な大きさとなるように設定されている。
【０１０１】
この開口２３ｆの周縁部には、前面側に突出する壁部２３ｅ（図４・図５参照）が略環状に形成されており、この壁部２３ｅの先端側には、さらに前面側に向けて突出するように受け部２３ｃが形成されている。
【０１０２】
一方、防塵フイルター受け部材２３の前面側の外周縁部近傍には、所定の位置に複数（本実施形態では三箇所）の突状部２３ａが前面側に向けて突出するように形成されている。この突状部２３ａは、防塵フイルター２１を固定保持する押圧部材２０を固設するために形成される部位であって、当該押圧部材２０は、突状部２３ａの先端部に対してねじ２０ａ等の締結手段により固設されている。
【０１０３】
押圧部材２０は、上述したように板ばね等の弾性体によって形成される部材であって、その基端部が突状部２３ａに固定され、自由端部が防塵フイルター２１の外周縁部に当接することで、当該防塵フイルター２１を防塵フイルター受け部材２３の側、即ち光軸方向に向けて押圧するようになっている。
【０１０４】
この場合において、防塵フイルター２１の背面側の外周縁部に配設される圧電素子２２の所定の部位が、受け部２３ｃに当接することで、防塵フイルター２１及び圧電素子２２の光軸方向における位置が規制されるようになっている。したがってこれにより、防塵フイルター２１は、圧電素子２２を介して防塵フイルター受け部材２３に対して気密的に接合するように固定保持されている。
【０１０５】
換言すれば、防塵フイルター受け部材２３は、押圧部材２０による附勢力によって防塵フイルター２１と圧電素子２２を介して気密的に接合するように構成されている。
【０１０６】
ところで、上述したように防塵フイルター受け部材２３とＣＣＤケース２４とは、周溝２４ｄと環状凸部２３ｄ（図４・図５参照）とが相互に略気密的に嵌合するようになっているのと同時に、防塵フイルター受け部材２３と防塵フイルター２１とは、押圧部材２０の附勢力により圧電素子２２を介して気密的に接合するようになっている。また、ＣＣＤケース２４に配設される光学ＬＰＦ２５は、光学ＬＰＦ２５の前面側の周縁部とＣＣＤケース２４の段部２４ａとの間で略気密的となるように配設されている。さらに、光学ＬＰＦ２５の背面側には、撮像素子２７がローパスフイルター受け部材２６を介して配設されており、光学ＬＰＦ２５と撮像素子２７との間においても、略気密性が保持されるようになっている。
【０１０７】
したがってこれにより、光学ＬＰＦ２５と防塵フイルター２１とが対向する間の空間には、所定の空隙部５１ａが形成されている。また、光学ＬＰＦ２５の周縁側、即ちＣＣＤケース２４と防塵フイルター受け部材２３と防塵フイルター２１とによって、空間部５１ｂが形成されている。この空間部５１ｂは、光学ＬＰＦ２５の外側に張り出すようにして形成されている封止された空間である（図４・図５参照）。また、この空間部５１ｂは、空隙部５１ａよりも広い空間となるように設定されている。そして、空隙部５１ａと空間部５１ｂとからなる空間は、上述した如くＣＣＤケース２４と防塵フイルター受け部材２３と防塵フイルター２１と光学ＬＰＦ２５とによって略気密的に封止される封止空間５１となっている。
【０１０８】
このように、本実施形態のカメラにおける撮像ユニット１５では、光学ＬＰＦ２５及び防塵フイルター２１の周縁に形成され空隙部５１ａを含む略密閉された封止空間５１を形成する封止構造部が構成されている。そして、この封止構造部は、光学ＬＰＦ２５の周縁乃至その近傍から外側の位置に設けられるようになっている。
【０１０９】
さらに、本実施形態においては、防塵フイルター２１をその周縁部位乃至その近傍部位に密着して支持する第１の部材である防塵フイルター受け部材２３と、光学ＬＰＦ２５をその周縁部位乃至その近傍部位に密着して支持すると共に、自己の所定部位で防塵フイルター受け部材２３（第１の部材）と密に接触するように配設される第２の部材であるＣＣＤケース２４等によって、封止構造部が構成されている。
【０１１０】
上述のように構成された本実施形態のカメラにおいては、撮像素子２７の前面側の所定の位置に防塵フイルター２１を対向配置し、撮像素子２７の光電変換面と防塵フイルター２１との周縁に形成される封止空間５１を封止するように構成したことによって、撮像素子２７の光電変換面に塵埃等が付着するのを予防している。
【０１１１】
そして、この場合においては、防塵フイルター２１の前面側の露出面に付着する塵埃等については、当該防塵フイルター２１の周縁部に一体となるように配設される圧電素子２２に周期電圧を印加して防塵フイルター２１に対して所定の振動を与えることで、除去することができるようになっている。
【０１１２】
図６は、本カメラ１における撮像ユニット１５のうち防塵フイルター２１及びこれに一体に設けられる圧電素子２２のみを取り出して示す正面図である。また、図７・図８は、図６の圧電素子２２に対して駆動電圧を印加した際の防塵フイルター２１及び圧電素子２２の状態変化を示し、図７は図６のＡ−Ａ線に沿う断面図、図８は図６のＢ−Ｂ線に沿う断面図である。
【０１１３】
ここで、例えば圧電素子２２に負（マイナス；−）電圧を印加した場合には、防塵フイルター２１は、図７・図８において実線で示すように変形する一方、圧電素子２２に正（プラス；＋）電圧を印加した場合には、防塵フイルター２１は、同図において点線で示すように変形することになる。
【０１１４】
この場合において、図６〜図８の符号２１ａで示すような振動の節の位置では、実質的に振幅は零になることから、この節２１ａに対応する部位に防塵フイルター受け部材２３の受け部２３ｃを当接させるように設定する。これにより、振動を阻害することなく防塵フイルター２１を効率的に支持し得ることになる。
【０１１５】
そして、この状態において、所定のときに防塵フイルター駆動部４８を制御して、圧電素子２２に対して周期的な電圧を印加することで防塵フイルター２１は振動し、当該防塵フイルター２１の表面に付着した塵埃等は除去される。
【０１１６】
なお、このときの共振周波数は、防塵フイルター２１の形状や板厚・材質等により決まるものである。上述の図６〜図８に示す例では、１次の振動を発生させた場合を示しているが、これに限らず、高次の振動を発生させるようにしてもよい。
【０１１７】
図９〜図１１に示す別の例示では、図６〜図８に示す例と全く同じ構成の防塵フイルターに対して２次振動を発生させた場合のようすを示している。
【０１１８】
この場合において、図９は、図６と同様に本カメラ１における撮像ユニット１５のうち防塵フイルター２１及びこれに一体に設けられる圧電素子２２のみを取り出して示す正面図である。また、図１０・図１１は、図９の圧電素子２２に対して印加した際の防塵フイルター２１及び圧電素子２２の状態変化を示し、図１０は図９のＡ−Ａ線に沿う断面図、図１１は図９のＢ−Ｂ線に沿う断面図である。
【０１１９】
ここで、例えば圧電素子２２に負（マイナス；−）電圧を印加した場合には、防塵フイルター２１は、図１０・図１１において実線で示すように変形する一方、圧電素子２２に正（プラス；＋）電圧を印加した場合には、防塵フイルター２１は、同図において点線で示すように変形することになる。
【０１２０】
この場合においては、図９〜図１１に示す符号２１ａ・２１ｂようにこの振動では二対の節が存在することになるが、節２１ａに対応する部位に防塵フイルター受け部材２３の受け部２３ｃを当接させるように設定することで、上述の図６〜図８に示す例と同様に、振動を阻害することなく防塵フイルター２１を効率的に支持し得ることになる。
【０１２１】
そして、この状態において、所定のときに防塵フイルター駆動部４８を制御して、圧電素子２２に対して周期的な電圧を印加することで防塵フイルター２１は振動し、当該防塵フイルター２１の表面に付着した塵埃等は除去される。
【０１２２】
なお、図６〜図８に示すように１次の振動を発生させた場合には、防塵フイルター２１の振幅によって封止空間５１は、符号Ｃで示す分の容積変化が生じることになる。一方、図９〜図１１に示すように２次の振動を発生させた場合には、防塵フイルター２１の振幅によって生じる封止空間５１の容積変化は、符号Ｄ１で示す領域から符号Ｄ２で示す領域×２を差し引いた分（Ｄ１−（Ｄ２×２））となる。
【０１２３】
封止空間５１に対する容積変化が少ないほど、封止空間５１の内部における内圧の変化は小さいことから、封止空間５１の容積変化は少ないほど効率的な振動を得ることができることがわかる。したがって、電気機械変換の効率の点では、発生させる振動は、高次となるように設定するのが望ましいものと考えられる。
【０１２４】
以上説明したように上記第１の実施形態によれば、光学ＬＰＦ２５（光学素子）と防塵フイルター２１（防塵部材）との両者が対向して形成される空隙部５１ａを含む略密閉された封止空間５１を構成すべく光学ＬＰＦ２５及び防塵フイルター２１の周縁側で空間部５１ｂを封止するようにした封止構造部を、光学ＬＰＦ２５の周縁乃至その近傍から外側に設けるように構成したので、空間部の一定の容積を確保するについて、光学ＬＰＦ２５（光学素子）と防塵フイルター２１（防塵部材）との間隔を短く設定することができる。
【０１２５】
一般に、光学ＬＰＦ２５（光学素子）と防塵フイルター２１（防塵部材）との間隔を短く設定すると、空隙部５１ａの容積が少なくなることから圧電素子２２（加振用部材）によって防塵フイルター２１に振動を与える際に封止空間５１の内圧が高くなってしまうことは周知である。しかし、封止空間５１の内圧が高い場合には、圧電素子２２による防塵フイルター２１の振動を阻害してしまう傾向がある。
【０１２６】
一方、封止空間５１の容積を確保するために光学ＬＰＦ２５（光学素子）と防塵フイルター２１（防塵部材）との間隔を長くなるように設定した場合には、撮像ユニット１５の光軸方向における寸法も大きくなってしまうことになり、カメラ１の光軸方向における小型化を阻害する要因になる。
【０１２７】
そこで、本実施形態においては、光学ＬＰＦ２５の周縁乃至その近傍から外側に空間部５１ｂを設けることで、封止空間５１の充分な容積を確保して、圧電素子２２による防塵フイルター２１の振動を阻害することなく、撮像ユニット１５の光軸方向における寸法の長大化を抑えることができる。したがって、カメラ１の光軸方向における小型化に寄与することが容易にできる。
【０１２８】
ところで、上述の第１の実施形態のカメラ１においては、防塵フイルター受け部材２３とＣＣＤケース２４とを別体に形成し、両者を相互に略気密的に嵌合させるように構成しているが、このような形態に限ることはない。例えば防塵フイルター受け部材２３とＣＣＤケース２４とを一体的に形成し一部材によって構成するようにしてもよい。次に説明する本発明の第２の実施形態は、その例示である。
【０１２９】
即ち、本発明の第２の実施形態の構成は、上述の第１の実施形態と略同様の構成からなるものであるが、上述の第１の実施形態における第１の部材である防塵フイルター受け部材（２３）及び第２の部材であるＣＣＤケース（２４）に代えて両者を一体に形成した部材を適用した点が異なるのみである。
【０１３０】
したがって、上述の第１の実施形態と同様の構成については、同じ符号を附してその詳細な説明は省略する。また、カメラ全体の構成についての図示も省略し、上述の図１・図２を参照するものとする。
【０１３１】
図１２・図１３は、本発明の第２の実施形態のカメラにおける撮像ユニットの一部を取り出して示す図であって、図１２は、組み立てた状態の当該撮像ユニットの一部を切断して示す斜視図であって、上述の第１の実施形態における図４に相当する。また、図１３は、図１２の切断面に沿う断面図であって、上述の第１の実施形態における図５に相当する。
【０１３２】
なお、図１２・図１３においても、上述の第１の実施形態の図４・図５と同様に撮像ユニット１５Ａの主要部を図示するに留め、シャッター部（１４）の図示は省略している。また、各構成部材の位置関係を示すために主回路基板１６を合わせて図示しているのも同様である。
【０１３３】
上述したように、本実施形態の撮像ユニット１５Ａにおいては、上述の第１の実施形態における防塵フイルター受け部材（２３；第１の部材）及びＣＣＤケース（２４；第２の部材）に代えて両者を一体に形成した一部材、即ち防塵フイルター受け兼ＣＣＤケース（以下、単にＣＣＤケースという）３３が配設されている。
【０１３４】
このＣＣＤケース３３は、防塵フイルター２１をその周縁部位乃至その近傍部位に密着して支持する防塵フィルター受け部の役目をする第１の部分と、撮像素子２７を収納し固定保持すると共に光学ＬＰＦ２５をその周縁部位乃至その近傍部位に密着して支持する撮像素子収納ケース部の役目をする第２の部分とを含んで一体に構成されている。これにより封止構造部が構成されている。
【０１３５】
そして、本実施形態のカメラの撮像ユニット１５Ａにおける封止構造部は、次のように構成されている。
【０１３６】
即ち、光学ＬＰＦ２５と防塵フイルター２１とが対向して作る空間に所定の空隙部５１Ａａが形成されている。また、光学ＬＰＦ２５の周縁側において光学ＬＰＦ２５の外側に張り出すようにして空間部５１Ａｂが、ＣＣＤケース３３と防塵フイルター２１とによって形成されている。この空間部５１Ａｂは、空隙部５１Ａａよりも広い空間となるように設定されている。そして、空隙部５１Ａａと空間部５１Ａｂとからなる空間は、ＣＣＤケース３３と防塵フイルター２１と光学ＬＰＦ２５とによって略気密的に封止される封止空間５１Ａとなっている。
【０１３７】
このように、本実施形態のカメラにおける撮像ユニット１５Ａでは、光学ＬＰＦ２５及び防塵フイルター２１の周縁に形成され空隙部５１Ａａを含む略密閉された封止空間５１Ａを形成する封止構造部が構成されている。そして、この封止構造部は、光学ＬＰＦ２５の周縁乃至その近傍から外側の位置に設けられるようになっている。
【０１３８】
さらに、本実施形態においては、防塵フイルター２１をその周縁部位乃至その近傍部位に密着して支持する第１の部分と、光学ＬＰＦ２５をその周縁部位乃至その近傍部位に密着して支持する第２の部分とを含んで一体に構成されるＣＣＤケース３３等によって封止構造部が構成されている。
【０１３９】
その他の構成については、上述の第１の実施形態と全く同様である。また、圧電素子２２によって防塵フイルター２１に対して振動を与えることで、当該防塵フイルター２１の表面に付着した塵埃等を除去する際の作用については、上述の第１の実施形態と全く同様である。
【０１４０】
以上説明したように上記第２の実施形態によれば、上述の第１の実施形態と同様の効果を得ることができる。
【０１４１】
これと同時に、本実施形態によれば、防塵フイルター２１をその周縁部位乃至その近傍部位に密着して支持する防塵フィルター受け部の役目をする第１の部分と、撮像素子２７を収納し固定保持すると共に光学ＬＰＦ２５をその周縁部位乃至その近傍部位に密着して支持する撮像素子収納ケース部の役目をする第２の部分とを含んで一体に構成したことから、構成を簡略化して部材点数の削減化に寄与し得ると共に、製造工程の簡略化及び製造コストの低減化に寄与することができる。
【０１４２】
また、上述の第１の実施形態のカメラにおいては、光学的ローパスフイルター（光学ＬＰＦ；光学素子）を備えて構成した例を示しているが、この構成に限ることはなく、光学ＬＰＦを具備しない形態のカメラの撮像ユニットに対しても、本発明を適用することは可能である。
【０１４３】
例えば撮像素子の有効画素数（画像データを作成する際に利用される画素の数）がレンズの解像力を超えるような多画素タイプの撮像素子を適用したデジタルカメラ等の場合には、撮像素子の前面に光学ＬＰＦを排除した形態で撮像ユニットを構成する場合がある。このような場合においても、本発明を適用することは容易である。次に説明する本発明の第３の実施形態は、その例示である。
【０１４４】
即ち、本発明の第３の実施形態の構成は、上述の第２の実施形態と略同様の構成からなるものであるが、上述の第２の実施形態における光学ＬＰＦ（２５）を排除し、防塵フイルター２１を支持すると共に撮像素子２７及び光学ＬＰＦ（２５）を固定保持するＣＣＤケース（３３）に代えて防塵フイルター２１を支持しかつ撮像素子２７を固定保持するＣＣＤケース３４を適用した点が異なるのみである。したがって、上述の第２の実施形態と同様の構成については、同じ符号を附してその詳細な説明は省略する。また、カメラ全体の構成についての図示は、上述の第２の実施形態と同様に省略し、上述の第１の実施形態の説明に用いた図１・図２を参照するものとする。
【０１４５】
図１４・図１５は、本発明の第３の実施形態のカメラにおける撮像ユニットの一部を取り出して示す図であって、図１４は、組み立てた状態の当該撮像ユニットの一部を切断して示す斜視図であって、上述の第１の実施形態における図４又は第２の実施形態における図１２に相当する。また、図１５は、図１４の切断面に沿う断面図であって、上述の第１の実施形態における図５又は第２の実施形態における図１３に相当する。
【０１４６】
なお、図１４・図１５においても、上述の第１の実施形態の図４・図５及び第２の実施形態の図１２・図１３と同様に撮像ユニット１５Ｂの主要部を図示するに留め、シャッター部（１４）の図示は省略している。また、各構成部材の位置関係を示すために主回路基板１６を合わせて図示しているのも同様である。
【０１４７】
上述したように、本実施形態の撮像ユニット１５Ｂにおいては、上述の第１の実施形態のカメラ１における光学ＬＰＦ２５を排除した形態のものであって、さらに上述の第２の実施形態と同様に、上述の第１の実施形態における防塵フイルター受け部材（２３；第１の部材）及びＣＣＤケース（２４；第２の部材）に代えて両者を一体的に形成した一部材、即ち防塵フイルター受け兼ＣＣＤケース（以下、単にＣＣＤケースという）３４が配設されている。
【０１４８】
このＣＣＤケース３４は、防塵フイルター２１をその周縁部位乃至その近傍部位に密着して支持する防塵フィルター受け部の役目をする第１の部分と、撮像素子２７の光電変換面をその周縁部位乃至その近傍部位に密着して支持する撮像素子収納ケース部の役目をする第２の部分とを含んで一体に構成されている。これにより封止構造部が構成されている。
【０１４９】
そして、本実施形態のカメラの撮像ユニット１５Ｂにおける封止構造部は、次のように構成されている。
【０１５０】
即ち、撮像素子２７の光電変換面と防塵フイルター２１とが対向して作る空間に所定の空隙部５１Ｂａが形成されている。また、撮像素子２７の光電変換面の周縁側において当該光電変換面の外側に張り出すようにして空間部５１Ｂｂが、ＣＣＤケース３４と防塵フイルター２１とによって形成されている。この空間部５１Ｂｂは、空隙部５１Ｂａよりも広い空間となるように設定されている。そして、空隙部５１Ｂａと空間部５１Ｂｂとからなる空間は、ＣＣＤケース３４と防塵フイルター２１と撮像素子２７の光電変換面とによって略気密的に封止される封止空間５１Ｂとなっている。
【０１５１】
このように、本実施形態のカメラにおける撮像ユニット１５Ｂでは、撮像素子２７の光電変換面及び防塵フイルター２１の周縁に形成され空隙部５１Ｂａを含む略密閉された封止空間５１Ｂを形成する封止構造部が構成されている。そして、この封止構造部は、撮像素子２７の光電変換面の周縁乃至その近傍から外側の位置に設けられるようになっている。
【０１５２】
さらに、本実施形態においては、防塵フイルター２１をその周縁部位乃至その近傍部位に密着して支持する第１の部分と、撮像素子２７の光電変換面をその周縁部位乃至その近傍部位に密着して支持する第２の部分とを含んで一体に構成されるＣＣＤケース３４等によって封止構造部が構成されている。
【０１５３】
なお、本実施形態の撮像ユニット１５Ｂにおいては、上述したように光学素子を排除して構成しているので、防塵フイルター２１は、その透明部が撮像素子２７の光電変換面の前面側に所定の間隔を持って対向配置されることになる。
【０１５４】
その他の構成については、上述の第１及び第２の実施形態と同様である。また、圧電素子２２によって防塵フイルター２１に対して振動を与えることで、当該防塵フイルター２１の表面に付着した塵埃等を除去する際の作用については、上述の第１及び第２の実施形態と全く同様である。
【０１５５】
以上説明したように上記第３の実施形態によれば、光学ＬＰＦ２５を排除した形態の撮像ユニットを適用したカメラにおいても上述の第２の実施形態と略同様の効果を得ることができる。
【０１５６】
つまり、本実施形態によれば、防塵フイルター２１をその周縁部位乃至その近傍部位に密着して支持する防塵フィルター受け部の役目をする第１の部分と、撮像素子２７の光電変換面をその周縁部位乃至その近傍部位に密着して支持する撮像素子収納ケース部の役目をする第２の部分とを含んで一体に構成したことから、構成を簡略化して部材点数の削減化に寄与し得ると共に、製造工程の簡略化及び製造コストの低減化に寄与することができる。
【０１５７】
なお、上述の第３の実施形態のカメラにおいては、上述の第１の実施形態における光学的ローパスフイルター（光学ＬＰＦ；光学素子）を排除した形態であって、かつ防塵フイルター２１を支持する第１の部分と撮像素子２７を支持するための第２の部分とを含んで一体に構成したＣＣＤケース（３４）によって封止構造部を構成するようにした例を示しているが、この構成に限ることはなく、光学ＬＰＦを具備しない形態のカメラの撮像ユニットにおいても、上述の第１の実施形態と同様に、防塵フイルター受け部材（２３）とＣＣＤケース（２４）とを別部材によって形成し、両者を相互に略気密的に嵌合させるように構成することも可能である。次に説明する本発明の第４の実施形態は、その例示である。
【０１５８】
即ち、本発明の第４の実施形態の構成は、上述の第１の実施形態と略同様の構成からなるものであるが、上述の第１の実施形態における光学ＬＰＦ（２５）を排除し、これに対応させた防塵フイルター（２１）をその周縁部位乃至その近傍部位に密着して支持する第１の部材である防塵フイルター受け部材（２３）と、撮像素子（２７）をその光電変換面部の周縁部位乃至その近傍部位に密着して支持する第２の部材であるＣＣＤケース（２４）とを含んで構成した封止構造部とする点が異なるのみである。
【０１５９】
したがって、上述の第１の実施形態と同様の構成については、上述の第１の実施形態の説明に用いた図を参照するものとする。
【０１６０】
この場合において、封止構造部は、防塵フイルター（２１）と撮像素子（２７）の光電変換面とが対向して作る空隙部（５１ａ）よりも広い空間が当該光電変換面の外側に張り出すような空間部（５１ｂ）を形成するように構成するのは、上述の第３の実施形態と同様である。
【０１６１】
以上説明したように上記第４の実施形態においても、上述の第１及び第３の実施形態と略同様の効果を得ることができる。
【０１６２】
一方、上述の第１の実施形態のカメラにおいては、弾性体である押圧部材２０の附勢力を利用して防塵フイルター受け部材２３と防塵フイルター２１とは、圧電素子２２を介して気密的に接合するように構成しているが、両者を気密的に接合する手段としては、このような形態に限ることはない。例えば、押圧部材２０（弾性体）に代えて、防塵フイルターと防塵フイルター受け部材とを接着剤による貼着力を利用するようにしてもよい。次に説明する本発明の第５の実施形態は、その例示である。
【０１６３】
即ち、本発明の第５の実施形態の基本的な構成は、上述の第１の実施形態と略同様のものであるが、上述の第１の実施形態における押圧部材２０に代えて接着剤を用いて防塵フイルター２１と防塵フイルター受け部材２３とを圧電素子２２を介して気密的に接合するように構成した点が異なる。そしてこれに対応して防塵フイルター受け部材の形態が異なるものになっている。
【０１６４】
したがって、上述の第１の実施形態と同様の構成については、同じ符号を附してその詳細な説明は省略する。また、カメラ全体の構成についての図示は、上述の第１の実施形態と略同様であるので省略し、当該第１の実施形態の説明に用いた図１・図２を参照するものとする。
【０１６５】
図１６・図１７・図１８は、本発明の第５の実施形態のカメラにおける撮像ユニットを構成する部材の一部を取り出して示す図であって、図１６は、当該撮像ユニットの構成部材のうちの防塵フイルター受け部材（第１の部材）を示す正面図である。また、図１７は、当該撮像ユニットの構成部材のうちの防塵フイルター受け部材と防塵フイルター（防塵部材）とを示す分解斜視図である。そして、図１８は、図１７の防塵フイルター受け部材と防塵フイルターとを接着剤によって接合させた状態における図１６のＥ−Ｅ線に沿う位置に相当する断面図である。
【０１６６】
本実施形態のカメラの撮像ユニット（１５）においては、上述したように接着剤３１を用いて防塵フイルター２１と防塵フイルター受け部材２３Ａとを圧電素子２２を介して気密的に接合するように構成している。
【０１６７】
そのために、防塵フイルター受け部材２３Ａは、次のように形成されている。即ち、防塵フイルター受け部材２３Ａの略中央部近傍には、上述の第１の実施形態と同様に、円形状又は多角形状から成る開口２３Ａｆが穿設されている。この開口２３Ａｆは、撮影光学系（１２ａ）を透過した被写体光束を通過させて、当該光束が後方に配置される撮像素子２７の光電変換面を照射するのに充分な大きさとなるように設定されている点は、上述の第１の実施形態のものと同様である。
【０１６８】
また、この開口２３Ａｆの周縁部には、前面側に突出する壁部２３Ａｅが略環状に形成されており、この壁部２３Ａｅの先端側には、さらに前面側に向けて突出するように受け部２３Ａｃが形成されている。
【０１６９】
また、当該防塵フイルター受け部材２３Ａの前面側の外周縁部近傍には、所定の位置に複数（本実施形態では三箇所）の突状部２３Ａａが前面側に向けて突出するように形成されている。この突状部２３Ａａは、当該防塵フイルター受け部材２３Ａに防塵フイルター２１を接着配置するときの位置決めを行なう位置規制部材の役目をするものである。
【０１７０】
この防塵フイルター受け部材２３Ａに対しては、その前面側に圧電素子２２を介して防塵フイルター２１が接着剤３１によって貼着されることになる。
【０１７１】
この場合において、接着剤３１は、防塵フイルター受け部材２３Ａの壁部２３Ａｅの先端側の全域にわたって、つまり環状の領域において塗布される。この状態で、防塵フイルター受け部材２３Ａの前面側から防塵フイルター２１を貼り付けることになるが、このとき防塵フイルター２１の外周縁部を突状部２３Ａａに沿わせて光軸方向に移動させるようにすれば、当該防塵フイルター２１は、防塵フイルター受け部材２３Ａの所定の位置に配置されるようになっている。そして、図１８に示すように防塵フイルター２１（実際には圧電素子２２）の所定の位置（振動時の節となる部位）に受け部２３Ａｃが当接するようになっている。
【０１７２】
したがって、これにより防塵フイルター受け部材２３Ａは、防塵フイルター２１の周縁部近傍の環状の領域、即ち壁部２３Ａｅの先端部において接着剤３１によって当該防塵フイルター２１と気密的に接合するように構成される。
【０１７３】
その他の構成については、上述の第１の実施形態と略同様である。また、圧電素子２２によって防塵フイルター２１に対して振動を与えることで、当該防塵フイルター２１の表面に付着した塵埃等を除去する際の作用については、上述の第１の実施形態と全く同様である。
【０１７４】
以上説明したように上記第５の実施形態によれば、上述の第１の実施形態と略同様の効果を得ることができる。
【０１７５】
これと同時に、本実施形態によれば、防塵フイルター２１を固定保持し、当該防塵フイルター２１と防塵フイルター受け部材２３Ａとを気密的に接合する手段として接着剤３１を利用するようにしたことから、構成の簡略化を実現し、よって部材点数の削減化に寄与し得ると共に、製造工程の簡略化及び製造コストの低減化に寄与することができる。
【０１７６】
なお、上述の第５の実施形態においては、その他の構成を上述の第１の実施形態に準ずるものとして説明しているが、これに限らず、上述の第２・第３・第４の各実施形態のそれぞれに準じた形態となるようにしてもよい。
【０１７７】
即ち、上述の第５の実施形態では、第１の実施形態と同様に、光学ＬＰＦ２５を備え、防塵フイルター受け部材２３（第１の部材）とＣＣＤケース２４（第２の部材）とを別部材で形成し、両者を相互に略気密的に嵌合させるように構成している。
【０１７８】
一方、上述の第２の実施形態においては、光学ＬＰＦ２５を備え、防塵フイルター受け部材の役目をする第１の部分とＣＣＤケースの役目をする第２の部分とを含んで一体に形成した防塵フイルター受け兼ＣＣＤケースを備えて構成している（図１２・図１３参照）。
【０１７９】
したがって、この場合には、防塵フイルター受け兼ＣＣＤケースの形状を、上述の第２の実施形態におけるＣＣＤケース３３に準じたものとし、このＣＣＤケースに対して防塵フイルター２１を接着剤３１を用いて気密的に接合させるような構成とすれば、全く同様の効果を得ることができる。
【０１８０】
また、上述の第３の実施形態においては、光学ＬＰＦを排除した形態であって、防塵フイルター受け部材の役目をする第１の部分とＣＣＤケースの役目をする第２の部分とを含んで一体に形成した防塵フイルター受け兼ＣＣＤケースを備えて構成している（図１４・図１５参照）。
【０１８１】
そこで、この場合には、防塵フイルター受け兼ＣＣＤケースの形状を、上述の第３の実施形態におけるＣＣＤケース３４に準じたものとし、このＣＣＤケース３４に対して防塵フイルター２１を接着剤３１を用いて気密的に接合させるような構成とすれば、全く同様の効果を得ることができる。
【０１８２】
そして、上述の第４の実施形態においては、（特に図示していないが）光学ＬＰＦを排除した形態であって、防塵フイルター受け部材（第１の部材）とＣＣＤケース（第２の部材）とを別部材で形成し、両者を相互に略気密的に嵌合させるように構成している。この場合には、ＣＣＤケースの形状を、上述の第４の実施形態におけるＣＣＤケースに準じたものとし、このＣＣＤケースに対して防塵フイルター２１を接着剤３１を用いて気密的に接合させるような構成とすれば、全く同様の効果を得ることができる。
【０１８３】
このように上記第５の実施形態は、防塵フイルター受け部材（第１の部材）とＣＣＤケース（第２の部材）とを別部材で構成する形態の撮像ユニットや、光学ＬＰＦ（２５）を排除して構成する形態の撮像ユニット等、各種の形態の撮像ユニットを適用したカメラに対しても全く同様に適用することができ、いずれの場合にも同様の効果を得ることができる。
【０１８４】
ところで、上述したように第１〜第５の各実施形態のカメラの撮像ユニットにおいては、圧電素子（加振用部材）を利用して防塵フイルターに対して所定の振動を与えることによって、当該防塵フイルターの表面に付着した塵埃等を除去するように構成している。
【０１８５】
この場合において、防塵フイルターが振動するときには、その周縁部の空気が移動することになるが、当該防塵フイルターは、防塵フイルター受け部材又は防塵フイルター受け兼ＣＣＤケースに対して密着するように配置されており、これにより所定の封止空間を形成する封止構造部を構成するようになっている。
【０１８６】
したがって、この封止空間が完全に気密が保たれた状態にあったとすると、防塵フイルターが振動したときに、外部から封止空間の内部に向けて空気が流入することがない。したがって、封止空間の内部に正負の圧力変動が生じることが予想される。この圧力変動を生じさせつつ振動を発生させるには、相応の力量乃至エネルギーが必要であり、このことが防塵フイルターの振動を阻害する要因になることも考えられる。
【０１８７】
図２９・図３０・図３１は、防塵フイルター及びこれを支持する所定の部材等によって撮像素子の前面側を完全に外部から封止された封止空間を形成した場合の撮像ユニットの一部を概略的に示す断面図である。このうち図２９は、圧電素子に電圧が印加されていない状態を示し、図３０は、圧電素子に正電圧が印加された場合の状態を示し、図３１は、圧電素子に負電圧が印加された場合の状態を示している。
【０１８８】
なお、図２９〜図３１においては、上述の第１の実施形態における撮像ユニットの構成を例に挙げて説明する。
【０１８９】
まず、撮像ユニット１５の圧電素子２２に電圧を印加していない状態（図２９の状態）において、当該圧電素子２２に対して正（プラス；＋）電圧を印加すると図３０に示す状態になる。この状態においては、防塵フイルター２１が光学ＬＰＦ２５の側に向けて撓むことになる。これにより、防塵フイルター２１の背面側とＣＣＤケース２４の段部２４ａの前面側とが極めて接近した状態となる。すると、防塵フイルター２１と光学ＬＰＦ２５との間の空隙部５１ａの内部に存在する空気は、当該空隙部５１ａから逃げる方向に流動しようとするが、空隙部５１ａは完全に外部から封止されている上に、当該空隙部５１ａと空間部５１ｂとの間の通路が防塵フイルター２１によって略遮断されてしまうために、空隙部５１ａの内部の空気の行き場がないことになる。したがって、空隙部５１ａの内容積が減少するにも関らず空気量は変化しないことから正の内圧が生じ、防塵フイルター２１の振動が阻害されることが考えられる。
【０１９０】
一方、当該撮像ユニット１５の圧電素子２２に対して負電圧を印加すると図３１に示す状態になる。この状態においては、防塵フイルター２１が光学ＬＰＦ２５から遠ざかる方向に撓むことになる。このとき、防塵フイルター２１と光学ＬＰＦ２５との間の空隙部５１ａ及び空間部５１ｂからなる封止空間５１は、完全に外部から封止されていることから、空気の流入が無いことになる。したがって、空隙部５１ａの内容積が増加するにも関らず空気量は変化しないことから負の内圧が生じ、防塵フイルター２１の振動が阻害されることが考えられる。
【０１９１】
そこで、上述した点に鑑みて、封止空間における所定の気密性を保持しながら、防塵フイルターの振動に伴って封止空間に対して外部から空気を流入させることで、当該封止空間の内圧を減少させる手段を備えた各種の実施形態について、以下に説明する。
【０１９２】
図１９・図２０は、本発明の第６の実施形態のカメラにおける撮像ユニットを構成する部材の一部を取り出して示す図である。このうち、図１９は、当該撮像ユニットの構成部材のうちのＣＣＤケース（第２の部材）を示す斜視図である。また、図２０は、当該撮像ユニットの断面を示し、図１９のＦ−Ｆ線に沿う位置に相当する断面図である。
【０１９３】
本実施形態の構成は、上述の第１の実施形態と略同様の構成からなり、ＣＣＤケース２４Ａの所定の位置に、空隙部５１ａと空間部５１ｂとの間の流路となる切欠部２４Ａｋを設けて形成した点が異なるのみである。
【０１９４】
したがって、上述の第１の実施形態と同様の構成については、同じ符号を附してその詳細な説明は省略する。また、カメラ全体及び撮像ユニット全体のそれぞれの構成についての図示は、上述の第１の実施形態の説明に用いた図１・図２及び図３〜図５を参照するものとする。
【０１９５】
図１９・図２０に示すように、本実施形態のカメラの撮像ユニット１５におけるＣＣＤケース２４Ａは、基本的には上述の第１の実施形態におけるＣＣＤケース２４と略同様に形成されている。
【０１９６】
そして、本実施形態におけるＣＣＤケース２４Ａでは、光学ＬＰＦ２５を内部で受けるべく設けられた段部２４ａの一部について、断面が略円弧形状となるように切り欠いた切欠部２４Ａｋを設けて形成している。
【０１９７】
換言すると、段部２４ａは、ＣＣＤケース２４（第２の部材）が光学ＬＰＦ２５の周縁部と略気密的に密着すべく形成された接触面部となっており、この接触面の一部に切欠部２４Ａｋが設けられている。
【０１９８】
したがって、当該切欠部２４Ａｋは、防塵フイルター２１が振動する際に空隙部５１ａと空間部５１ｂとの間において空気の流動を補助する流路の役目をするものである。
【０１９９】
つまり、本実施形態における撮像ユニット１５において構成される封止構造部は、所定部位、即ちＣＣＤケース２４の段部２４ａの一部に、本撮像ユニット１５に形成される封止空間５１のうちの相対的に狭小な空間部である空隙部５１ａと相対的に大きな空間部５１ｂとの間の空気の流れに関する抵抗を低減させる流路を設けて構成した点に特徴がある。
【０２００】
その他の構成については、上述の第１の実施形態と全く同様である。
このように構成された撮像ユニット１５において、圧電素子２２によって防塵フイルター２１に振動を与えた場合の作用は、次のようになる。
【０２０１】
まず、圧電素子２２に電圧を印加していない状態（図２９と同様の状態）において、当該圧電素子２２に対して正電圧を印加すると、防塵フイルター２１は、光学ＬＰＦ２５の側に向けて撓むことになる（図３０参照）。
【０２０２】
このとき、例えば防塵フイルター２１の背面側とＣＣＤケース２４の段部２４ａの前面側とが極めて接近した状態（図３０と同様の状態）となったとしても、空隙部５１ａの内部に存在する空気は、ＣＣＤケース２４Ａの一部に設けた切欠部２４Ａｋを通って空間部５１ｂの側へと流出することになる。
【０２０３】
したがって、空隙部５１ａの内容積が防塵フイルター２１の撓みによって減少するのに伴って空隙部５１ａの内部の空気量も容易に減少することになる。これにより、当該空隙部５１ａでの内圧の上昇が抑えられる。
【０２０４】
一方、圧電素子２２に対して負電圧を印加すると、防塵フイルター２１は、光学ＬＰＦ２５から遠ざかる方向に撓むことになる（図３１参照）。この場合においては、空間部５１ｂの側の空気が切欠部２４Ａｋを介して空隙部５１ａの側に向けて流入することになる。
【０２０５】
したがって、空隙部５１ａの内容積が防塵フイルター２１の撓みによって増加するのに伴って空隙部５１ａの内部の空気量も容易に増加することになる。これにより、当該空隙部５１ａでの内圧の減少が抑えられる。
【０２０６】
以上説明したように上記第６の実施形態によれば、ＣＣＤケース２４Ａの一部において、所定の位置に空隙部５１ａと空間部５１ｂとの間を連通させる切欠部２４Ａｋを設けるのみで、圧電素子２２による防塵フイルター２１の振動により生じる封止空間５１の内部における空気の流動を容易にし、同空間内での内圧の変化を抑えるようにしている。したがってこれにより、防塵フイルター２１の振動が阻害されてしまうことを抑えることができる。
【０２０７】
なお、上述の第６の実施形態においては、上述の第１の実施形態に準じた構成の撮像ユニット１５についての例示としているが、これに限ることはない。
【０２０８】
例えば、上述の第２の実施形態（図１２・図１３参照）に対しては、防塵フイルター受け部材とＣＣＤケースを一体化して形成した防塵フイルター受け兼ＣＣＤケースであるＣＣＤケース３３の所定の位置、即ち当該ＣＣＤケース３３（一体化されたものの第２の部分）が光学ＬＰＦ２５の周縁部と略気密的に密着すべく形成された接触面部の一部に流路となる切欠部（２４Ａｋ）を設けた構成とすることで、全く同様の効果を得ることができる。
【０２０９】
また、上述の第３の実施形態（図１４・図１５参照）に対しては、防塵フイルター受け部材とＣＣＤケースを一体化して形成した防塵フイルター受け兼ＣＣＤケースであるＣＣＤケース３４の所定の位置、即ち当該ＣＣＤケース３４（一体化されたものの第２の部分）が撮像素子２７の光電変換面の周縁部と略気密的に密着すべく形成された接触面部の一部に流路となる切欠部（２４Ａｋ）を設けた構成とすることで、全く同様の効果を得ることができる。
【０２１０】
そして、上述の第４の実施形態（特に図示せず）に対しては、ＣＣＤケースの所定の位置、即ち当該ＣＣＤケース（第２の部材）が撮像素子の光電変換面の周縁部と略気密的に密着すべく形成された接触面部の一部に流路となる切欠部（２４Ａｋ）を設けた構成とすることで、全く同様の効果を得ることができる。
【０２１１】
このように、上記第６の実施形態は、防塵フイルター受け部材（第１の部材）とＣＣＤケース（第２の部材）とを別部材で構成する形態の撮像ユニットや、光学ＬＰＦ（２５）を排除して構成する形態の撮像ユニット等、各種の形態の撮像ユニットを適用するカメラに対しても全く同様に適用することができ、いずれの場合にも同様の効果を得ることができる。
【０２１２】
図２１・図２２は、本発明の第７の実施形態のカメラにおける撮像ユニットを構成する部材の一部を取り出して示す図である。このうち、図２１は、当該撮像ユニットの構成部材のうちのＣＣＤケース（第２の部材）を示す斜視図である。また、図２２は、当該撮像ユニットの断面を示し、図２１のＧ−Ｇ線に沿う位置に相当する断面図である。
【０２１３】
本実施形態の構成は、上述の第１の実施形態と略同様の構成からなり、ＣＣＤケース２４Ｂの所定の位置に封止空間５１の内外を連通させるための相対的に微小な通路である穿孔２４Ｂｇを設けて形成した点が異なるのみである。
【０２１４】
したがって、上述の第１の実施形態と同様の構成については、同じ符号を附してその詳細な説明は省略する。また、カメラ全体及び撮像ユニット全体のそれぞれの構成についての図示は、上述の第１の実施形態の説明に用いた図１・図２及び図３〜図５を参照するものとする。
【０２１５】
本実施形態のカメラの撮像ユニット１５におけるＣＣＤケース２４Ｂは、図２１・図２２に示すように基本的には上述の第１の実施形態におけるＣＣＤケース２４と略同様に形成されている。
【０２１６】
そして、本実施形態におけるＣＣＤケース２４Ｂでは、その底面部の所定の位置、例えば光学ＬＰＦ２５の外周側に延出した領域の一部に空間部５１ｂと外部とを連通させるための相対的に微小な通路となる穿孔２４Ｂｇを設けて形成している。
【０２１７】
したがって、当該穿孔２４Ｂｇは、防塵フイルター２１が振動する際に空間部５１ｂと外部との間において空気の流動を補助する通路となっているものである。なお、この場合において、当該穿孔２４Ｂｇを介して外部の空気が空間部５１ｂの内部に流入することになるので、そのときに外部の空気中に含まれる塵埃等が同時に侵入する虞がある。
【０２１８】
そこで、このことを考慮して、穿孔２４Ｂｇを介して所定以上の大きさの塵埃等が封止空間５１の内部に侵入することのないように、当該穿孔２４Ｂｇは、相対的に微小な大きさに設定する必要がある。この場合において設定される穿孔２４Ｂｇの大きさとしては、封止空間５１の内部に侵入し、光学ＬＰＦ２５や撮像素子２７の光電変換面等に付着した塵埃等が、撮像素子２７によって取得されるべき画像信号に基づいて表わされる画像に悪影響を及ぼさない程度の大きさが想定される。
【０２１９】
このように、本実施形態における撮像ユニット１５において構成される封止構造部は、防塵フイルター２１（防塵部材）をその周縁部位乃至その近傍部位に密着して支持する第１の部材である防塵フイルター受け部材２３と、光学ＬＰＦ２５（光学素子）をその周縁部位乃至その近傍部位に密着して支持すると共に、自己の所定部位で防塵フイルター受け部材２３（第１の部材）と密に接触するようにして配設された第２の部材であるＣＣＤケース２４Ｂとを含んで構成され、かつＣＣＤケース２４Ｂ（第２の部材）は、その所定部位に空間部５１ｂ（封止空間５１）の内外を連通させるための相対的に微小な通路である穿孔２４Ｂｇを設けて構成したところに特徴がある。
【０２２０】
その他の構成については、上述の第１の実施形態と全く同様である。
このように構成された撮像ユニット１５において、圧電素子２２によって防塵フイルター２１に振動を与えた場合の作用は、次のようになる。
【０２２１】
まず、圧電素子２２に電圧を印加していない状態（図２９と同様の状態）において、当該圧電素子２２に対して正電圧を印加すると、防塵フイルター２１は、光学ＬＰＦ２５の側に向けて撓むことになる（図３０参照）。
【０２２２】
このとき、封止空間５１の内部、特に空間部５１ｂの内部に存在する空気は、ＣＣＤケース２４Ｂの底面部に設けた穿孔２４Ｂｇを通って外部へと流出することになる。
【０２２３】
したがって、封止空間５１、特に空隙部５１ａの内容積が防塵フイルター２１の撓みによって減少するのに伴って封止空間５１の内部の空気量も容易に減少することになる。これにより、当該封止空間５１Ａでの内圧の上昇が抑えられる。
【０２２４】
一方、圧電素子２２に対して負電圧を印加すると、防塵フイルター２１は、光学ＬＰＦ２５から遠ざかる方向に撓むことになる（図３１参照）。この場合においては、外部の空気が穿孔２４Ｂｇを介して封止空間５１、特に空間部５１ｂの内部に流入することになる。
【０２２５】
したがって、封止空間５１の内容積が防塵フイルター２１の撓みによって増加するのに伴って当該封止空間５１の内部の空気量も容易に増加することになる。これにより、封止空間５１での内圧の減少が抑えられる。
【０２２６】
以上説明したように上記第７の実施形態によれば、ＣＣＤケース２４Ａの所定の位置に封止空間５１、特に空間部５１ｂと外部との間を連通させる穿孔２４Ｂｇを設けるのみで、圧電素子２２による防塵フイルター２１の振動により生じる封止空間５１と外部との間の空気の流動を容易にし、同空間内での内圧の変化を抑えるようにしている。したがってこれにより、防塵フイルター２１の振動が阻害されてしまうことを抑えることができる。
【０２２７】
なお、上述の第７の実施形態においては、上述の第１の実施形態に準じた構成の撮像ユニット１５についての例示としているが、これに限ることはない。
【０２２８】
例えば、上述の第２の実施形態（図１２・図１３参照）に対しては、防塵フイルター受け部材とＣＣＤケースを一体化して形成した防塵フイルター受け兼ＣＣＤケースであるＣＣＤケース３３の所定の位置、即ち当該ＣＣＤケース３３（第２の部材）の底面部であって光学ＬＰＦ２５の外周側に延出した領域の一部に空間部５１ｂ（封止空間５１）の内外を連通させるための相対的に微小な通路である穿孔（２４Ｂｇ）を設けた構成とすることで、全く同様の効果を得ることができる。
【０２２９】
また、光学ＬＰＦを排除して構成した上述の第３の実施形態（図１４・図１５参照）に対しては、光学ＬＰＦを排除し、防塵フイルター受け部材とＣＣＤケースを一体化して形成した防塵フイルター受け兼ＣＣＤケースであるＣＣＤケース３４の所定の位置、即ち当該ＣＣＤケース３４（第２の部材）の底面部であって撮像素子２７の光電変換面の外周側に延出した領域の一部に通路となる穿孔（２４Ｂｇ）を設けた構成とすることで、全く同様の効果を得ることができる。
【０２３０】
そして、光学ＬＰＦを排除して構成した上述の第４の実施形態（特に図示せず）に対しては、ＣＣＤケースの所定の位置、即ち当該ＣＣＤケース（第２の部材）の底面部であって撮像素子２７の光電変換面の外周側に延出した領域の一部に通路となる穿孔（２４Ｂｇ）を設けた構成とすることで、全く同様の効果を得ることができる。
【０２３１】
このように上記第７の実施形態は、防塵フイルター受け部材（第１の部材）とＣＣＤケース（第２の部材）とを別部材で構成する形態の撮像ユニットや、光学ＬＰＦ（２５）を排除して構成する形態の撮像ユニット等、各種の形態の撮像ユニットを適用するカメラに対しても全く同様に適用することができ、いずれの場合にも同様の効果を得ることができる。
【０２３２】
図２３・図２４は、本発明の第８の実施形態のカメラにおける撮像ユニットを構成する部材の一部を取り出して示す図である。このうち、図２３は、当該撮像ユニットの構成部材のうちの防塵フイルター受け部材（第１の部材）を示す斜視図である。また、図２４は、当該撮像ユニットの断面を示し、図２３のＨ−Ｈ線に沿う位置に相当する断面図である。
【０２３３】
本実施形態の基本的な構成は、上述の第１の実施形態と略同様であって、撮像ユニットの構成部材のうちの防塵フイルター受け部材（第１の部材）の基本構成については、上述の第５の実施形態における防塵フイルター受け部材２３Ａに準じたものが適用されている。
【０２３４】
そして、本実施形態における防塵フイルター受け部材２３Ｂでは、所定の位置に封止空間５１の内外を連通させるための相対的に微小な通路である穿孔２３Ｂｈを設けて形成している。
【０２３５】
したがって、上述の第１の実施形態と同様の構成については、同じ符号を附してその詳細な説明は省略する。また、カメラ全体及び撮像ユニット全体のそれぞれの構成についての図示は、上述の第１の実施形態の説明に用いた図１・図２及び図３〜図５を参照するものとする。そして、防塵フイルター受け部材自体については、上述の第５の実施形態の説明に用いた図１６〜図１８も参照する。
【０２３６】
本実施形態のカメラの撮像ユニット１５における防塵フイルター受け部材２３Ｂは、図２３・図２４に示すように基本的には上述の第５の実施形態と略同様に形成されているものであって、開口２３Ｂｆの周縁部に前面に向けて突設される壁部２３Ｂｅが略環状に形成されている。
【０２３７】
さらに、当該防塵フイルタ-受け部材２３Ｂにおいては、壁部２３Ｂｅの所定の位置に、空間部５１ｂと外部とを連通させるための相対的に微小な通路となる穿孔２３Ｂｈが設けられている。
【０２３８】
この穿孔２３Ｂｈは、防塵フイルター２１が振動する際に空間部５１ｂと外部との間において空気の流動を容易にする通路となっている。このような構成の防塵フイルター受け部材２３Ｂを用いた場合には、穿孔２３Ｂｈを介して外部の空気が空間部５１ｂの内部に流入することになるので、そのときに外部の空気中に含まれる塵埃等が同時に侵入する虞がある。
【０２３９】
そこで、このことを考慮して、穿孔２３Ｂｈを介して所定以上の大きさの塵埃等が封止空間５１の内部に侵入することのないように、当該穿孔２３Ｂｈは、相対的に微小な大きさに設定する必要がある。この点については、上述の第６及び第７の実施形態と同様である。
【０２４０】
このように、本実施形態における撮像ユニット１５において構成される封止構造部は、防塵フイルター２１（防塵部材）をその周縁部位乃至その近傍部位に密着して支持する第１の部材である防塵フイルター受け部材２３Ｂと、光学ＬＰＦ２５（光学素子）をその周縁部位乃至その近傍部位に密着して支持すると共に、自己の所定部位で防塵フイルター受け部材２３Ｂ（第１の部材）と密に接触するようにして配設された第２の部材であるＣＣＤケース２４とを含んで構成され、かつ防塵フイルター受け部材２３Ｂ（第１の部材）は、その所定部位に空間部５１ｂ（封止空間５１）の内外を連通させるための相対的に微小な通路である穿孔２３Ｂｈを設けて構成したところに特徴がある。
【０２４１】
その他の構成については、上述の第１の実施形態と全く同様である。
このように構成された撮像ユニット１５において、圧電素子２２によって防塵フイルター２１に振動を与えた場合の作用は、次のようになる。
【０２４２】
まず、圧電素子２２に電圧を印加していない状態（図２９と同様の状態）において、当該圧電素子２２に対して正電圧を印加すると、防塵フイルター２１は、光学ＬＰＦ２５の側に向けて撓むことになる（図３０参照）。
【０２４３】
このとき、封止空間５１の内部、特に空間部５１ｂの内部に存在する空気は、穿孔２３Ｂｇを通って外部へと流出することになる。
【０２４４】
したがって、封止空間５１、特に空隙部５１ａの内容積が防塵フイルター２１の撓みによって減少するのに伴って封止空間５１の内部の空気量も容易に減少することになる。これにより、当該封止空間５１での内圧の上昇が抑えられる。
【０２４５】
一方、圧電素子２２に対して負電圧を印加すると、防塵フイルター２１は、光学ＬＰＦ２５から遠ざかる方向に撓むことになる（図３１参照）。この場合においては、外部の空気が穿孔２３Ｂｈを介して封止空間５１、特に空間部５１ｂの内部に流入することになる。
【０２４６】
したがって、封止空間５１の内容積が防塵フイルター２１の撓みによって増加するのに伴って当該封止空間５１の内部の空気量も容易に増加することになる。これにより、封止空間５１での内圧の変化が抑えられる。
【０２４７】
以上説明したように上記第８の実施形態によれば、防塵フイルター受け部材２３Ｂの所定の位置に封止空間５１、特に空間部５１ｂと外部との間を連通させる穿孔２３Ｂｈを設けるのみで、圧電素子２２による防塵フイルター２１の振動により生じる封止空間５１と外部との間の空気の流動を容易にし、同空間内での内圧の変化を抑えるようにしている。したがってこれにより、防塵フイルター２１の振動が阻害されてしまうことを抑えることができる。
【０２４８】
なお、上述の第８の実施形態においては、上述の第１及び第５の実施形態に準じた構成の撮像ユニット１５についての例示としているが、これに限ることはない。
【０２４９】
例えば、上述の第２の実施形態（図１２・図１３）に対しては、防塵フイルター受け部材とＣＣＤケースを一体化して形成した防塵フイルター受け兼ＣＣＤケースであるＣＣＤケース３３の所定の位置、即ち当該ＣＣＤケース３３（第２の部材）の開口の周縁部に前面に向けて突設される略環状の壁部の所定の位置に、空間部５１Ａｂと外部とを連通させるための相対的に微小な通路となる穿孔２３Ｂｈを設けた構成とすることで、全く同様の効果を得ることができる。
【０２５０】
また、上述の第３の実施形態（図１４・図１５）に対しては、防塵フイルター受け部材とＣＣＤケースを一体化して形成した防塵フイルター受け兼ＣＣＤケースであるＣＣＤケース３４の所定の位置、即ち当該ＣＣＤケース３４（防塵フイルター受けである第１の部分）の開口の周縁部に前面に向けて突設される略環状の壁部の所定の位置に、空間部５１Ａｂと外部とを連通させるための相対的に微小な通路となる穿孔２３Ｂｈを設けた構成とすることで、全く同様の効果を得ることができる。
【０２５１】
そして、上述の第４の実施形態（図示せず）に対しては、ＣＣＤケースの所定の位置、即ち当該ＣＣＤケース（第２の部材）の開口の周縁部に前面に向けて突設される略環状の壁部の所定の位置に、空間部と外部とを連通させるための相対的に微小な通路となる穿孔（２３Ｂｈ）を設けた構成とすることで、全く同様の効果を得ることができる。
【０２５２】
このように上記第８の実施形態は、防塵フイルター受け部材（第１の部材）とＣＣＤケース（第２の部材）とを別部材で構成する形態の撮像ユニットや、光学ＬＰＦ（２５）を排除して構成する形態の撮像ユニット等、各種の形態の撮像ユニットを適用するカメラに対しても全く同様に適用することができ、いずれの場合にも同様の効果を得ることができる。
【０２５３】
次に、本発明の第９の実施形態について、以下に説明する。
【０２５４】
図２５・図２６は、本発明の第９の実施形態のカメラにおける撮像ユニットを構成する部材の一部を取り出して示す図である。このうち、図２５は、当該撮像ユニットの構成部材のうちのＣＣＤケース（第２の部材）の背面側を示す斜視図である。また、図２６は、当該撮像ユニットの断面を示し、図２５のＪ−Ｊ線に沿う位置に相当する断面図である。
【０２５５】
本発明の第９の実施形態の構成は、上述の第７の実施形態と略同様のものであって、ＣＣＤケース２４Ｂの所定の位置に設けられ封止空間５１の内外を連通させるために設けられる通路（穿孔２４Ｂｇ）の近傍において、その開放端側を気密的に覆う封止補助部材であり伸縮自在に形成されるゴムキャップ２９Ａを、さらに附加した点が異なるのみである。
【０２５６】
したがって、上述の第７の実施形態と同様の構成については、同じ符号を附してその詳細な説明は省略する。また、カメラ全体及び撮像ユニット全体のそれぞれの構成についての図示は、上述の第１の実施形態の説明に用いた図１・図２及び図３〜図５を参照するものとする。
【０２５７】
本実施形態のカメラの撮像ユニット１５におけるＣＣＤケース２４Ｂそれ自体は、図２５・図２６に示すように上述の第７の実施形態におけるＣＣＤケース２４Ｂと全く同様に形成されているものである。
【０２５８】
そして、本実施形態においては、このＣＣＤケース２４Ｂの底面部に設けられる穿孔２４Ｂｇの近傍に、その開放端側を気密的に覆う封止補助部材であるゴムキャップ２９Ａが設けられている。このゴムキャップ２９Ａは、封止空間５１の内圧に応じて自身の内容積が変化し得るように、通常の状態では、その断面が外部に向けて若干凸となる形状に形成されており、かつ伸縮性を備えた弾性部材によって形成されるものである。そして、当該ゴムキャップ２９Ａは、穿孔２４Ｂｇが封止空間５１（特に空間部５１ｂ）の外側に向けて連通する開放端側を気密的に覆うように配設されている。
【０２５９】
その他の構成については、上述の第７の実施形態と全く同様である。
このように、上記第９の実施形態においては、穿孔２４Ｂｇの開放端側の外部にゴムキャップ２９Ａを気密的に設けたことから、防塵フイルター２１が振動する際には、穿孔２４Ｂｇを介して外部から塵埃等を含む空気が空間部５１ｂの内部に直接流入することがない。これと同時に封止空間５１の内容積を若干量だけ増加させることができると共に、ゴムキャップ２９Ａ自体を伸縮自在に形成したことから、封止空間５１の内圧変化に応じて自身が伸縮することで、自身の内容積を増減させ得るようになっている。
【０２６０】
このように構成された撮像ユニット１５において、圧電素子２２によって防塵フイルター２１に振動を与えた場合の作用は、次のようになる。
【０２６１】
まず、圧電素子２２に電圧を印加していない状態（図２９と同様の状態）において、当該圧電素子２２に対して正電圧を印加すると、防塵フイルター２１は、光学ＬＰＦ２５の側に向けて撓むことになる（図３０参照）。
【０２６２】
このとき、封止空間５１の内部、特に空間部５１ｂの内部に存在する空気は、穿孔２３Ｂｇを通ってゴムキャップ２９Ａの内部に向けて流出する。このとき、ゴムキャップ２９Ａは、内圧に応じて延びることでその内容積を増加させる。
【０２６３】
したがって、封止空間５１、特に空隙部５１ａの内容積が防塵フイルター２１の撓みによって減少するのに伴って、封止空間５１の内部の空気量が減少し、その空気はゴムキャップ２９Ａの側へ移動する。ゴムキャップ２９Ａは、空気圧の変動に応じて比較的容易に伸展する。これにより、当該封止空間５１での内圧の上昇が抑えられる。
【０２６４】
一方、圧電素子２２に対して負電圧を印加すると、防塵フイルター２１は、光学ＬＰＦ２５から遠ざかる方向に撓むことになる（図３１参照）。この場合においては、ゴムキャップ２９Ａの内部の空気が穿孔２３Ｂｇを介して封止空間５１、特に空間部５１ｂの内部に流入することになる。このとき、ゴムキャップ２９Ａは、空気圧の変動に応じて比較的容易に収縮する。
【０２６５】
したがって、封止空間５１の内容積が防塵フイルター２１の撓みによって増加するのに伴ってゴムキャップ２９Ａの内部の空気が当該封止空間５１へと移動し、その内部の空気量が増加する。これにより、封止空間５１での内圧の減少が抑えられる。
【０２６６】
以上説明したように上記第９の実施形態によれば、ＣＣＤケース２４Ａの所定の位置に封止空間５１、特に空間部５１ｂと外部との間を連通させる穿孔２４Ｂｇを設け、この穿孔２４Ｂｇの開放端側気密的に覆うと共に、封止空間５１の内圧に応じて自己の内容積が変化し得る封止補助部材（ゴムキャップ２９Ａ）を設けるようにしたのみで、圧電素子２２による防塵フイルター２１の振動により生じる封止空間５１と外部との間の空気の流動を容易にし、同空間内での内圧の変化を抑えるようにしている。したがってこれにより、防塵フイルター２１の振動が阻害されてしまうことを抑えることができる。
【０２６７】
上述の第９の実施形態においては、穿孔２４Ｂｇの開放端側気密的に覆う封止補助部材として、ゴムキャップ２９Ａを適用した場合を例に挙げて説明したが、この封止補助部材の形態は、これに限ることはなく、例えば次の第１０の実施形態に示す形態の封止補助部材としてもよい。
【０２６８】
図２７・図２８は、本発明の第１０の実施形態のカメラにおける撮像ユニットを構成する部材の一部を取り出して示す図である。このうち、図２７は、当該撮像ユニットの構成部材のうちのＣＣＤケース（第２の部材）の背面側を示す斜視図である。また、図２８は、当該撮像ユニットの断面を示し、図２７のＫ−Ｋ線に沿う位置に相当する断面図である。
【０２６９】
本発明の第１０の実施形態の構成は、上述の第９の実施形態と略同様のものであって、ＣＣＤケース２４Ｂに設けられる通路（穿孔２４Ｂｇ）の開放端側を気密的に覆う封止補助部材としてのゴムキャップ２９Ａに代えて、同様の役目をするゴムリング２９Ｂを設けて構成した点が異なるのみである。
【０２７０】
したがって、上述の第９の実施形態と同様の構成については、同じ符号を附してその詳細な説明は省略する。また、カメラ全体及び撮像ユニット全体のそれぞれの構成についての図示は、上述の第１の実施形態の説明に用いた図１・図２及び図３〜図５を参照するものとする。
【０２７１】
本実施形態においては、ＣＣＤケース２４Ｂの裏面側であって、光学ＬＰＦ２５の周縁部乃至その近傍の環状の領域に封止補助部材であり弾性部材等からなるゴムリング２９Ｂが配設されている。このゴムリング２９Ｂは、封止空間５１の内圧に応じて自身の内容積が変化し得るように、通常の状態では、その断面が外部に向けて若干凸となる形状に形成されており、かつ伸縮性を備えた弾性部材によって形成され、かつ略円環形状に形成されてなるものである。そして、この場合において、当該ゴムリング２９Ｂは、通路である穿孔２４Ｂｇを除いて気密的になるようにＣＣＤケース２４Ｂに対して配設されている。なお、図２７においては、ゴムリング２９Ｂの一部、即ち穿孔２４Ｂｇが設けられる近傍の一部を破いて図示している。
【０２７２】
その他の構成及びその作用については、上述の第９の実施形態と全く同様である。
このように上記第１０の実施形態においては、ＣＣＤケース２４Ｂの穿孔２４Ｂｇの開放端側の外部にゴムリング２９Ｂを気密的に設けたことから、防塵フイルター２１が振動する際には、穿孔２４Ｂｇを介して外部から塵埃等を含む空気が空間部５１ｂの内部に直接流入することがない。これと同時に封止空間５１の内容積を若干量だけ増加させることができると共に、ゴムキャップ２９Ｂ自体を伸縮自在に形成したことから、封止空間５１の内圧変化に応じて自身が伸縮することで、自身の内容積を増減させ得るようになっている。
【０２７３】
したがって、以上説明したように上記第１０の実施形態によれば、上述の第９の実施形態と全く同様の効果を得ることができると共に、封止補助部材（ゴムリング２９Ｂ）によって確保し得る空間の内容積を、さらに大きなものとすることができる。
【０２７４】
なお、上述の第９・第１０の実施形態においては、上述の第１及び第７の実施形態に準じた構成の撮像ユニット１５についての例示としているが、これに限ることはない。
【０２７５】
例えば、上述の第２の実施形態（図１２・図１３）に対しては、防塵フイルター受け部材とＣＣＤケースを一体化して形成した防塵フイルター受け兼ＣＣＤケースであるＣＣＤケース３３（その第２の部分）の所定の位置に封止空間５１と外部との間を連通させる穿孔２４Ｂｇを設け、この穿孔（２４Ｂｇ）の開放端側気密的に覆うと共に、封止空間５１の内圧に応じて自己の内容積が変化し得る封止補助部材（ゴムキャップ２９Ａ）を設けた構成とすることで、上述の第９の実施形態と全く同様の効果を得ることができる。
【０２７６】
また、ＣＣＤケース３３（その第２の部分）の所定の位置であって、光学ＬＰＦ２５の周縁部乃至その近傍の環状の領域に封止補助部材であり弾性部材等からなる（ゴムリング２９Ｂ）を、穿孔（２４Ｂｇ；通路）を除いて気密的になるように配設することで、上述の第１０の実施形態と全く同様の効果を得ることができる。
【０２７７】
また、上述の第３の実施形態（図１４・図１５）に対しては、防塵フイルター受け部材とＣＣＤケースを一体化して形成した防塵フイルター受け兼ＣＣＤケースであるＣＣＤケース３４（第２の部材）の所定の位置に封止空間５１と外部との間を連通させる穿孔（２４Ｂｇ）を設け、この穿孔（２４Ｂｇ）の開放端側気密的に覆うと共に、封止空間５１の内圧に応じて自己の内容積が変化し得る封止補助部材（ゴムキャップ２９Ａ）を設けた構成とすることで、上述の第９の実施形態と全く同様の効果を得ることができる。
【０２７８】
また、ＣＣＤケース３３（第２の部材）の所定の位置であって、撮像素子２７の光電変換面の周縁部乃至その近傍の環状の領域に封止補助部材であり弾性部材等からなる（ゴムリング２９Ｂ）を、穿孔（２４Ｂｇ；通路）を除いて気密的になるように配設することで、上述の第１０の実施形態と全く同様の効果を得ることができる。
【０２７９】
そして、上述の第４の実施形態に対しては、ＣＣＤケース（第２の部材）の所定の位置に封止空間５１と外部との間を連通させる穿孔（２４Ｂｇ）を設け、この穿孔（２４Ｂｇ）の開放端側気密的に覆うと共に、封止空間５１の内圧に応じて自己の内容積が変化し得る封止補助部材（ゴムキャップ２９Ａ）を設けた構成とすることで、上述の第９の実施形態と全く同様の効果を得ることができる。
【０２８０】
また、ＣＣＤケース（第２の部材）の所定の位置であって、撮像素子２７の光電変換面の周縁部乃至その近傍の環状の領域に封止補助部材であり弾性部材等からなる（ゴムリング２９Ｂ）を、穿孔（２４Ｂｇ；通路）を除いて気密的になるように配設することで、上述の第１０の実施形態と全く同様の効果を得ることができる。
【０２８１】
なお、上述の各実施形態においては、撮像光学系が着脱自在となるように構成した形式のカメラに関する場合について詳述しているが、本発明の思想はこの形式を必須とするものではない。
【０２８２】
【発明の効果】
以上述べたように本発明によれば、カメラ、特にデジタルカメラにおいて、撮像素子の光電変換面上に塵埃等が付着するのを十全に予防すると共に、撮像素子を封止乃至保護する防塵部材の外面側の表面上に付着した塵埃等を確実に除去し得るように構成したカメラを提供することができる。
【図面の簡単な説明】
【図１】本発明の第１の実施形態のカメラの一部を切断して、その内部構成を概略的に示す斜視図。
【図２】図１のカメラの主に電気的な構成を概略的に示すブロック構成図。
【図３】図１のカメラにおける撮像ユニットの一部を取り出して示す図であって、当該撮像ユニットを分解して示す要部分解斜視図。
【図４】図１のカメラにおける撮像ユニットを組み立てた状態において一部を切断して示す斜視図。
【図５】図４の切断面に沿う断面図。
【図６】図１のカメラにおける撮像ユニットのうち防塵フイルター及びこれに一体に設けられる圧電素子のみを取り出して示す正面図。
【図７】図６の圧電素子に対して印加した際の防塵フイルター及び圧電素子の状態変化を示し、図６のＡ−Ａ線に沿う断面図。
【図８】図６の圧電素子に対して印加した際の防塵フイルター及び圧電素子の状態変化を示し、図６のＢ−Ｂ線に沿う断面図。
【図９】図１のカメラにおける撮像ユニットのうち防塵フイルター及びこれに一体に設けられる圧電素子のみを取り出して示す正面図。
【図１０】図９の圧電素子に対して印加した際の防塵フイルター及び圧電素子の状態変化の別の例を示し、図９のＡ−Ａ線に沿う断面図。
【図１１】図９の圧電素子に対して印加した際の防塵フイルター及び圧電素子の状態変化の別の例を示し、図９のＢ−Ｂ線に沿う断面図。
【図１２】本発明の第２の実施形態のカメラにおける撮像ユニットの一部を取り出して示す図であって、組み立てた状態の当該撮像ユニットの一部を切断して示す斜視図。
【図１３】図１２の切断面に沿う断面図。
【図１４】本発明の第３の実施形態のカメラにおける撮像ユニットの一部を取り出して示す図であって、組み立てた状態の当該撮像ユニットの一部を切断して示す斜視図。
【図１５】図１４の切断面に沿う断面図。
【図１６】本発明の第５の実施形態のカメラにおける撮像ユニットを構成する部材の一部を取り出して示す図であって、当該撮像ユニットの構成部材のうちの防塵フイルター受け部材（第１の部材）を示す正面図。
【図１７】図１６の撮像ユニットの構成部材のうちの防塵フイルター受け部材と防塵フイルター（防塵部材）とを示す分解斜視図。
【図１８】図１７の防塵フイルター受け部材と防塵フイルターとを接着剤によって接合させた状態における図１６のＥ−Ｅ線に沿う位置に相当する断面図。
【図１９】本発明の第６の実施形態のカメラにおける撮像ユニットを構成する部材の一部を取り出して示す図であって、当該撮像ユニットの構成部材のうちのＣＣＤケース（第２の部材）を示す斜視図。
【図２０】図１９のＦ−Ｆ線に沿う位置に相当する断面図。
【図２１】本発明の第７の実施形態のカメラにおける撮像ユニットを構成する部材の一部を取り出して示す図であって、当該撮像ユニットの構成部材のうちのＣＣＤケース（第２の部材）を示す斜視図。
【図２２】図２１のＧ−Ｇ線に沿う位置に相当する断面図。
【図２３】本発明の第８の実施形態のカメラにおける撮像ユニットを構成する部材の一部を取り出して示す図であって、当該撮像ユニットの構成部材のうちの防塵フイルター受け部材（第１の部材）を示す斜視図。
【図２４】図２３のＨ−Ｈ線に沿う位置に相当する断面図。
【図２５】本発明の第９の実施形態のカメラにおける撮像ユニットを構成する部材の一部を取り出して示す図であって、当該撮像ユニットの構成部材のうちのＣＣＤケース（第２の部材）の背面側を示す斜視図。
【図２６】図２５のＪ−Ｊ線に沿う位置に相当する断面図。
【図２７】本発明の第１０の実施形態のカメラにおける撮像ユニットを構成する部材の一部を取り出して示す図であって、当該撮像ユニットの構成部材のうちのＣＣＤケース（第２の部材）の背面側を示す斜視図。
【図２８】図２７のＫ−Ｋ線に沿う位置に相当する断面図。
【図２９】従来のカメラにおいて、防塵フイルター及びこれを支持する所定の部材等によって撮像素子の前面側を完全に外部から封止された封止空間を形成した場合の撮像ユニットの一部を概略的に示す断面図であって、圧電素子に電圧が印加されていない状態を示す図。
【図３０】図２９の撮像ユニットにおいて、圧電素子に正電圧が印加された場合の状態を示す断面図。
【図３１】図２９の撮像ユニットにおいて、圧電素子に負電圧が印加された場合の状態を示す断面図。
【符号の説明】
１……カメラ
１１……カメラ本体部
１１ａ……撮影光学系装着部
１２……レンズ鏡筒
１２ａ……撮影光学系
１３……ファインダー装置
１３ａ……ペンタプリズム
１３ｂ……反射鏡
１３ｃ……接眼レンズ
１４……シャッター部
１５・１５Ａ・１５Ｂ……撮像ユニット
１６……主回路基板
１６ａ……画像信号処理回路
１６ｂ……ワークメモリ
１７……レリーズボタン
２０……押圧部材
２１……防塵フイルター（防塵部材）
２２……圧電素子（加振用部材）
２３・２３Ａ・２３Ｂ……防塵フイルター受け部材
２３Ｂｇ・２３Ｂｈ・２４Ｂｇ……穿孔（通路）
２４・２４Ａ・２４Ｂ・３３・３４……ＣＣＤケース（撮像素子収納ケース部材）
２４Ａｋ……切欠部（流路）
２３ｄ……環状凸部
２４ｄ……周溝
２５……光学的ローパスフイルター（光学ＬＰＦ；光学素子）
２６……ローパスフイルター受け部材
２７……撮像素子（ＣＣＤ）
２８……撮像素子固定板
２９Ａ……ゴムキャップ（封止補助部材）
２９Ｂ……ゴムリング（封止補助部材）
３１……接着剤
４８……防塵フイルター駆動部
５１・５１Ａ・５１Ｂ……封止空間部
５１ａ・５１Ａａ・５１Ｂａ……空隙部
５１ｂ・５１Ａｂ・５１Ｂｂ……空間部
【図１】
0004028754.tif 000002
【図２】
0004028754.tif 000003
【図３】
0004028754.tif 000004
【図４】
0004028754.tif 000005
【図５】
0004028754.tif 000006
【図６】
0004028754.tif 000007
【図７】
0004028754.tif 000008
【図８】
0004028754.tif 000009
【図９】
0004028754.tif 000010
【図１０】
0004028754.tif 000011
【図１１】
0004028754.tif 000012
【図１２】
0004028754.tif 000013
【図１３】
0004028754.tif 000014
【図１４】
0004028754.tif 000015
【図１５】
0004028754.tif 000016
【図１６】
0004028754.tif 000017
【図１７】
0004028754.tif 000018
【図１８】
0004028754.tif 000019
【図１９】
0004028754.tif 000020
【図２０】
0004028754.tif 000021
【図２１】
0004028754.tif 000022
【図２２】
0004028754.tif 000023
【図２３】
0004028754.tif 000024
【図２４】
0004028754.tif 000025
【図２５】
0004028754.tif 000026
【図２６】
0004028754.tif 000027
【図２７】
0004028754.tif 000028
【図２８】
0004028754.tif 000029
【図２９】
0004028754.tif 000030
【図３０】
0004028754.tif 000031
【図３１】
0004028754.tif 000032